(57)【要約】      （修正有）【課題】印画品質に優れる水性インクを提供し得る染料水溶液であって、長期保存した際の貯蔵安定性、並びに長期保存後に上記染料水溶液を用いて調製した水性インクの印画品質、及び吐出安定性に優れる水溶液等を提供する。【解決手段】特定のスルホフタレイン化合物（例えば、例示化合物１−２５）と、水混和性有機溶剤とを含む水溶液であって、水混和性有機溶剤に対する特定のスルホフタレイン化合物の溶解度が２５℃において３０（ｇ／１００ｇ溶剤）以下であり、その含有量が水溶液全量に対して５〜２５質量％である水溶液、該水溶液を用いた着色組成物、インクジェット記録用インク、インクジェット記録方法、及びインクカートリッジ。2018053190.tif 000066【選択図】なし【特許請求の範囲】
【請求項１】
下記一般式（１）で表される化合物と、水混和性有機溶剤とを含む水溶液であって、
前記水混和性有機溶剤に対する前記一般式（１）で表される化合物の溶解度が２５℃において３０（ｇ／１００ｇ溶剤）以下であり、
前記一般式（１）で表される化合物の含有量が前記水溶液全量に対して５〜２５質量％である、水溶液。
【化１】
2018053190.tif 000059
一般式（１）中、Ｒ１、Ｒ５、Ｒ６及びＲ１０は各々独立にアルキル基を表す。Ｒ４、Ｒ９、Ｒ１７、Ｒ１８、Ｒ１９及びＲ２０は各々独立に水素原子又は置換基を表す。Ｒ２、Ｒ３、Ｒ７及びＲ８は各々独立に水素原子、アルキル基又は下記一般式（Ａ）で表される置換基を表し、Ｒ２、Ｒ３、Ｒ７及びＲ８のうち少なくとも１つは下記一般式（Ａ）で表される置換基を表す。Ｍは水素原子又は一価のカウンターカチオンを表す。
【化２】
2018053190.tif 000060
一般式（Ａ）中、Ｘは下記一般式（Ｘ１）、一般式（Ｘ２）又は一般式（Ｘ３）で表される置換基を表す。＊はベンゼン環に結合する結合手を表す。
【化３】
2018053190.tif 000061
一般式（Ｘ１）中、Ｒ４０１、Ｒ４０２、Ｒ４０３、Ｒ４０４及びＲ４０５は各々独立に水素原子又は置換基を表す。ただし、Ｒ４０１、Ｒ４０２、Ｒ４０３、Ｒ４０４及びＲ４０５は下記条件（ｉ）又は（ｉｉ）を満たす。＊は硫黄原子に結合する結合手を表す。
条件（ｉ）：Ｒ４０１、Ｒ４０２、Ｒ４０３、Ｒ４０４及びＲ４０５のうち少なくとも１つはヒドロキシル基を表し、かつ少なくとも１つはカルボキシル基を表す。
条件（ｉｉ）：Ｒ４０１、Ｒ４０２、Ｒ４０３、Ｒ４０４及びＲ４０５のうち少なくとも２つはカルボキシル基を表す。
【化４】
2018053190.tif 000062
一般式（Ｘ２）中、Ｒ５０１、Ｒ５０２、Ｒ５０３、Ｒ５０４、Ｒ５０５、Ｒ５０６及びＲ５０７は各々独立に水素原子又は置換基を表す。ただし、Ｒ５０１、Ｒ５０２、Ｒ５０３、Ｒ５０４、Ｒ５０５、Ｒ５０６及びＲ５０７は下記条件（ｉｉｉ）又は（ｉｖ）を満たす。＊は硫黄原子に結合する結合手を表す。
条件（ｉｉｉ）：Ｒ５０１、Ｒ５０２、Ｒ５０３、Ｒ５０４、Ｒ５０５、Ｒ５０６及びＲ５０７のうち少なくとも１つはヒドロキシル基を表し、かつ少なくとも１つはカルボキシル基を表す。
条件（ｉｖ）：Ｒ５０１、Ｒ５０２、Ｒ５０３、Ｒ５０４、Ｒ５０５、Ｒ５０６及びＲ５０７のうち少なくとも２つはカルボキシル基を表す。
【化５】
2018053190.tif 000063
一般式（Ｘ３）中、Ｒ６０１、Ｒ６０２、Ｒ６０３、Ｒ６０４、Ｒ６０５、Ｒ６０６及びＲ６０７は各々独立に水素原子又は置換基を表す。ただし、Ｒ６０１、Ｒ６０２、Ｒ６０３、Ｒ６０４、Ｒ６０５、Ｒ６０６及びＲ６０７は下記条件（ｖ）又は（ｖｉ）を満たす。＊は硫黄原子に結合する結合手を表す。
条件（ｖ）：Ｒ６０１、Ｒ６０２、Ｒ６０３、Ｒ６０４、Ｒ６０５、Ｒ６０６及びＲ６０７のうち少なくとも１つはヒドロキシル基を表し、かつ少なくとも１つはカルボキシル基を表す。
条件（ｖｉ）：Ｒ６０１、Ｒ６０２、Ｒ６０３、Ｒ６０４、Ｒ６０５、Ｒ６０６及びＲ６０７のうち少なくとも２つはカルボキシル基を表す。
【請求項２】
前記一般式（１）で表される化合物が、下記一般式（２）で表される化合物である請求項１に記載の水溶液。
【化６】
2018053190.tif 000064
一般式（２）中、Ｒ１、Ｒ５、Ｒ６及びＲ１０は各々独立にアルキル基を表す。Ｒ４、Ｒ９、Ｒ１７、Ｒ１８、Ｒ１９及びＲ２０は各々独立に水素原子又は置換基を表す。Ｒ３及びＲ８は各々独立に水素原子又はアルキル基を表す。Ｒ４０１、Ｒ４０２、Ｒ４０３、Ｒ４０４及びＲ４０５は各々独立に水素原子又は置換基を表す。ただし、Ｒ４０１、Ｒ４０２、Ｒ４０３、Ｒ４０４及びＲ４０５は下記条件（ｉ−１）又は（ｉｉ−１）を満たす。Ｒ４０６、Ｒ４０７、Ｒ４０８、Ｒ４０９及びＲ４１０は各々独立に水素原子又は置換基を表す。ただし、Ｒ４０６、Ｒ４０７、Ｒ４０８、Ｒ４０９及びＲ４１０は下記条件（ｉ−２）又は（ｉｉ−２）を満たす。Ｍは水素原子又は一価のカウンターカチオンを表す。
条件（ｉ−１）：Ｒ４０１、Ｒ４０２、Ｒ４０３、Ｒ４０４及びＲ４０５のうち少なくとも１つはヒドロキシル基を表し、かつ少なくとも１つはカルボキシル基を表す。
条件（ｉｉ−１）：Ｒ４０１、Ｒ４０２、Ｒ４０３、Ｒ４０４及びＲ４０５のうち少なくとも２つはカルボキシル基を表す。
条件（ｉ−２）：Ｒ４０６、Ｒ４０７、Ｒ４０８、Ｒ４０９及びＲ４１０のうち少なくとも１つはヒドロキシル基を表し、かつ少なくとも１つはカルボキシル基を表す。
条件（ｉｉ−２）：Ｒ４０６、Ｒ４０７、Ｒ４０８、Ｒ４０９及びＲ４１０のうち少なくとも２つはカルボキシル基を表す。
【請求項３】
前記一般式（２）中のＲ４０１、Ｒ４０２、Ｒ４０３、Ｒ４０４及びＲ４０５が前記条件（ｉｉ−１）を満たし、Ｒ４０６、Ｒ４０７、Ｒ４０８、Ｒ４０９及びＲ４１０が前記条件（ｉｉ−２）を満たす請求項２に記載の水溶液。
【請求項４】
前記一般式（１）又は一般式（２）で表される化合物が、下記一般式（２’）で表される化合物である請求項１〜３のいずれか１項に記載の水溶液。
【化７】
2018053190.tif 000065
一般式（２’）中、Ｒ４０１及びＲ４０６はそれぞれ独立に水素原子、ハロゲン原子、ヒドロキシル基、又はメチル基を表す。Ｍは水素原子、リチウムイオン、ナトリウムイオン、カリウムイオン、又はアンモニウムイオンを表す。
【請求項５】
前記一般式（２’）におけるＲ４０１及びＲ４０６がヒドロキシル基である請求項４に記載の水溶液。
【請求項６】
前記水混和性有機溶剤の総含有量が、前記水溶液全量に対して１〜７０質量％である請求項１〜５のいずれか１項に記載の水溶液。
【請求項７】
前記水混和性有機溶剤が多価アルコール類を含む請求項１〜６のいずれか１項に記載の水溶液。
【請求項８】
前記水混和性有機溶剤がグリセリンを含む請求項１〜７のいずれか１項に記載の水溶液。
【請求項９】
前記グリセリンの含有量が前記水溶液全量に対して５〜３０質量％である請求項８に記載の水溶液。
【請求項１０】
前記水混和性有機溶剤が、更にグリコール誘導体を含む請求項７〜９のいずれか１項に記載の水溶液。
【請求項１１】
更に、防腐剤としてチアゾール系化合物又はベンゾトリアゾール系化合物を含む請求項１〜１０のいずれか１項に記載の水溶液。
【請求項１２】
前記防腐剤の含有量が、前記水溶液全量に対して０．０１〜０．５質量％である請求項１１に記載の水溶液。
【請求項１３】
更に、ベタイン化合物を含む請求項１〜１２のいずれか１項に記載の水溶液。
【請求項１４】
前記ベタイン化合物の含有量が、前記水溶液全量に対して１〜１０質量％である請求項１３に記載の水溶液。
【請求項１５】
請求項１〜１４のいずれか１項に記載の水溶液を用いた着色組成物。
【請求項１６】
請求項１〜１４のいずれか１項に記載の水溶液、又は請求項１５に記載の着色組成物を用いたインクジェット記録用インク。
【請求項１７】
請求項１６に記載のインクジェット記録用インクを用いて、被記録材に着色画像を形成するインクジェット記録方法。
【請求項１８】
請求項１６に記載のインクジェット記録用インクを充填したインクジェット記録用インクカートリッジ。
【発明の詳細な説明】
【技術分野】
【０００１】
本発明は、水溶液、着色組成物、インクジェット記録用インク、インクジェット記録方法、及びインクカートリッジに関する。
【背景技術】
【０００２】
インクジェット記録方法は、周知のごとくインクの小滴を飛翔させ、紙等の記録媒体に付着させて印刷を行う方法である。この印刷方法は、安価な装置で高解像度、高品位な画像を高速かつ簡便に印刷をする事ができ、特にカラー印刷においては、近年写真に代わりうる画像形成方法として技術開発が行われている。
【０００３】
たとえば、特許文献１には、染料として特定の連結基（−ＮＨＣＯ−）を有するキサンテン化合物を含有するインクジェット記録用インクが記載されている。また、特許文献２には、染料として特定位置にアミノ基を有するキサンテン化合物を含有するインクジェット記録用インクに適した染料組成物が記載されている。
【先行技術文献】
【特許文献】
【０００４】
【特許文献１】特許第５４５１５５６号公報
【特許文献２】特開２０１４−２０１７１４号公報
【発明の概要】
【発明が解決しようとする課題】
【０００５】
しかしながら、インクの分野において更なる性能の向上が求められている。特に、色相、彩度、印画濃度、画像堅牢性などの印画品質に優れる水性インクを提供し得る高濃度の染料水溶液であって、長期保存した際の貯蔵安定性、並びに長期保存後に上記染料水溶液を用いて調製した水性インクの印画品質、及び吐出安定性について更なる性能の向上が求められる。
【０００６】
本発明は、印画品質に優れる水性インクを提供し得る染料水溶液であって、長期保存した際の貯蔵安定性、並びに長期保存後に上記染料水溶液を用いて調製した水性インクの印画品質、及び吐出安定性に優れる、水溶液、上記水溶液を用いた着色組成物、インクジェット記録用インク、インクジェット記録方法、及びインクカートリッジを提供することを目的とする。
【課題を解決するための手段】
【０００７】
本発明者らが鋭意検討を重ねた結果、特定の構造（−ＮＨＳＯ２−）を有するキサンテン化合物と、上記キサンテン化合物の溶解度が２５℃において１０（ｇ／１００ｇ溶剤）以下の水混和性有機溶剤とを含有する水溶液を用いることで、上記目的を達成することを見出し、本発明を完成するに至った。
【０００８】
即ち、本発明の上記課題は、以下の手段により解決された。
【０００９】
＜１＞
下記一般式（１）で表される化合物と、水混和性有機溶剤とを含む水溶液であって、
上記水混和性有機溶剤に対する上記一般式（１）で表される化合物の溶解度が２５℃において３０（ｇ／１００ｇ溶剤）以下であり、
上記一般式（１）で表される化合物の含有量が上記水溶液全量に対して５〜２５質量％である、水溶液。
【００１０】
【化１】
2018053190.tif 000002
【００１１】
一般式（１）中、Ｒ１、Ｒ５、Ｒ６及びＲ１０は各々独立にアルキル基を表す。Ｒ４、Ｒ９、Ｒ１７、Ｒ１８、Ｒ１９及びＲ２０は各々独立に水素原子又は置換基を表す。Ｒ２、Ｒ３、Ｒ７及びＲ８は各々独立に水素原子、アルキル基又は下記一般式（Ａ）で表される置換基を表し、Ｒ２、Ｒ３、Ｒ７及びＲ８のうち少なくとも１つは下記一般式（Ａ）で表される置換基を表す。Ｍは水素原子又は一価のカウンターカチオンを表す。
【００１２】
【化２】
2018053190.tif 000003
【００１３】
一般式（Ａ）中、Ｘは下記一般式（Ｘ１）、一般式（Ｘ２）又は一般式（Ｘ３）で表される置換基を表す。＊はベンゼン環に結合する結合手を表す。
【００１４】
【化３】
2018053190.tif 000004
【００１５】
一般式（Ｘ１）中、Ｒ４０１、Ｒ４０２、Ｒ４０３、Ｒ４０４及びＲ４０５は各々独立に水素原子又は置換基を表す。ただし、Ｒ４０１、Ｒ４０２、Ｒ４０３、Ｒ４０４及びＲ４０５は下記条件（ｉ）又は（ｉｉ）を満たす。＊は硫黄原子に結合する結合手を表す。
条件（ｉ）：Ｒ４０１、Ｒ４０２、Ｒ４０３、Ｒ４０４及びＲ４０５のうち少なくとも１つはヒドロキシル基を表し、かつ少なくとも１つはカルボキシル基を表す。
条件（ｉｉ）：Ｒ４０１、Ｒ４０２、Ｒ４０３、Ｒ４０４及びＲ４０５のうち少なくとも２つはカルボキシル基を表す。
【００１６】
【化４】
2018053190.tif 000005
【００１７】
一般式（Ｘ２）中、Ｒ５０１、Ｒ５０２、Ｒ５０３、Ｒ５０４、Ｒ５０５、Ｒ５０６及びＲ５０７は各々独立に水素原子又は置換基を表す。ただし、Ｒ５０１、Ｒ５０２、Ｒ５０３、Ｒ５０４、Ｒ５０５、Ｒ５０６及びＲ５０７は下記条件（ｉｉｉ）又は（ｉｖ）を満たす。＊は硫黄原子に結合する結合手を表す。
条件（ｉｉｉ）：Ｒ５０１、Ｒ５０２、Ｒ５０３、Ｒ５０４、Ｒ５０５、Ｒ５０６及びＲ５０７のうち少なくとも１つはヒドロキシル基を表し、かつ少なくとも１つはカルボキシル基を表す。
条件（ｉｖ）：Ｒ５０１、Ｒ５０２、Ｒ５０３、Ｒ５０４、Ｒ５０５、Ｒ５０６及びＲ５０７のうち少なくとも２つはカルボキシル基を表す。
【００１８】
【化５】
2018053190.tif 000006
【００１９】
一般式（Ｘ３）中、Ｒ６０１、Ｒ６０２、Ｒ６０３、Ｒ６０４、Ｒ６０５、Ｒ６０６及びＲ６０７は各々独立に水素原子又は置換基を表す。ただし、Ｒ６０１、Ｒ６０２、Ｒ６０３、Ｒ６０４、Ｒ６０５、Ｒ６０６及びＲ６０７は下記条件（ｖ）又は（ｖｉ）を満たす。＊は硫黄原子に結合する結合手を表す。
条件（ｖ）：Ｒ６０１、Ｒ６０２、Ｒ６０３、Ｒ６０４、Ｒ６０５、Ｒ６０６及びＲ６０７のうち少なくとも１つはヒドロキシル基を表し、かつ少なくとも１つはカルボキシル基を表す。
条件（ｖｉ）：Ｒ６０１、Ｒ６０２、Ｒ６０３、Ｒ６０４、Ｒ６０５、Ｒ６０６及びＲ６０７のうち少なくとも２つはカルボキシル基を表す。
＜２＞
上記一般式（１）で表される化合物が、下記一般式（２）で表される化合物である＜１＞に記載の水溶液。
【００２０】
【化６】
2018053190.tif 000007
【００２１】
一般式（２）中、Ｒ１、Ｒ５、Ｒ６及びＲ１０は各々独立にアルキル基を表す。Ｒ４、Ｒ９、Ｒ１７、Ｒ１８、Ｒ１９及びＲ２０は各々独立に水素原子又は置換基を表す。Ｒ３及びＲ８は各々独立に水素原子又はアルキル基を表す。Ｒ４０１、Ｒ４０２、Ｒ４０３、Ｒ４０４及びＲ４０５は各々独立に水素原子又は置換基を表す。ただし、Ｒ４０１、Ｒ４０２、Ｒ４０３、Ｒ４０４及びＲ４０５は下記条件（ｉ−１）又は（ｉｉ−１）を満たす。Ｒ４０６、Ｒ４０７、Ｒ４０８、Ｒ４０９及びＲ４１０は各々独立に水素原子又は置換基を表す。ただし、Ｒ４０６、Ｒ４０７、Ｒ４０８、Ｒ４０９及びＲ４１０は下記条件（ｉ−２）又は（ｉｉ−２）を満たす。Ｍは水素原子又は一価のカウンターカチオンを表す。
条件（ｉ−１）：Ｒ４０１、Ｒ４０２、Ｒ４０３、Ｒ４０４及びＲ４０５のうち少なくとも１つはヒドロキシル基を表し、かつ少なくとも１つはカルボキシル基を表す。
条件（ｉｉ−１）：Ｒ４０１、Ｒ４０２、Ｒ４０３、Ｒ４０４及びＲ４０５のうち少なくとも２つはカルボキシル基を表す。
条件（ｉ−２）：Ｒ４０６、Ｒ４０７、Ｒ４０８、Ｒ４０９及びＲ４１０のうち少なくとも１つはヒドロキシル基を表し、かつ少なくとも１つはカルボキシル基を表す。
条件（ｉｉ−２）：Ｒ４０６、Ｒ４０７、Ｒ４０８、Ｒ４０９及びＲ４１０のうち少なくとも２つはカルボキシル基を表す。
＜３＞
上記一般式（２）中のＲ４０１、Ｒ４０２、Ｒ４０３、Ｒ４０４及びＲ４０５が上記条件（ｉｉ−１）を満たし、Ｒ４０６、Ｒ４０７、Ｒ４０８、Ｒ４０９及びＲ４１０が上記条件（ｉｉ−２）を満たす＜２＞に記載の水溶液。
＜４＞
上記一般式（１）又は一般式（２）で表される化合物が、下記一般式（２’）で表される化合物である＜１＞〜＜３＞のいずれか１つに記載の水溶液。
【００２２】
【化７】
2018053190.tif 000008
【００２３】
一般式（２’）中、Ｒ４０１及びＲ４０６はそれぞれ独立に水素原子、ハロゲン原子、ヒドロキシル基、又はメチル基を表す。Ｍは水素原子、リチウムイオン、ナトリウムイオン、カリウムイオン、又はアンモニウムイオンを表す。
＜５＞
上記一般式（２’）におけるＲ４０１及びＲ４０６がヒドロキシル基である＜４＞に記載の水溶液。
＜６＞
上記水混和性有機溶剤の総含有量が、上記水溶液全量に対して１〜７０質量％である＜１＞〜＜５＞のいずれか１つに記載の水溶液。
＜７＞
上記水混和性有機溶剤が多価アルコール類を含む＜１＞〜＜６＞のいずれか１つに記載の水溶液。
＜８＞
上記水混和性有機溶剤がグリセリンを含む＜１＞〜＜７＞のいずれか１つに記載の水溶液。
＜９＞
上記グリセリンの含有量が上記水溶液全量に対して５〜３０質量％である＜８＞に記載の水溶液。
＜１０＞
上記水混和性有機溶剤が、更にグリコール誘導体を含む＜７＞〜＜９＞のいずれか１つに記載の水溶液。
＜１１＞
更に、防腐剤としてチアゾール系化合物又はベンゾトリアゾール系化合物を含む＜１＞〜＜１０＞のいずれか１つに記載の水溶液。
＜１２＞
上記防腐剤の含有量が、上記水溶液全量に対して０．０１〜０．５質量％である＜１１＞に記載の水溶液。
＜１３＞
更に、ベタイン化合物を含む＜１＞〜＜１２＞のいずれか１つに記載の水溶液。
＜１４＞
上記ベタイン化合物の含有量が、上記水溶液全量に対して１〜１０質量％である＜１３＞に記載の水溶液。
＜１５＞
＜１＞〜＜１４＞のいずれか１つに記載の水溶液を用いた着色組成物。
＜１６＞
＜１＞〜＜１４＞のいずれか１つに記載の水溶液、又は＜１５＞に記載の着色組成物を用いたインクジェット記録用インク。
＜１７＞
＜１６＞に記載のインクジェット記録用インクを用いて、被記録材に着色画像を形成するインクジェット記録方法。
＜１８＞
＜１６＞に記載のインクジェット記録用インクを充填したインクジェット記録用インクカートリッジ。
【発明の効果】
【００２４】
本発明によれば、印画品質に優れる水性インクを提供し得る染料水溶液であって、長期保存した際の貯蔵安定性、並びに長期保存後に上記染料水溶液を用いて調製した水性インクの印画品質、及び吐出安定性に優れる、水溶液、上記水溶液を用いた着色組成物、インクジェット記録用インク、インクジェット記録方法、及びインクカートリッジを提供することができる。
【図面の簡単な説明】
【００２５】
【図１】例示化合物（１−１１）のジメチルスルホキシド−ｄ６中での１Ｈ−ＮＭＲ（ｎｕｃｌｅａｒ  ｍａｇｎｅｔｉｃ  ｒｅｓｏｎａｎｃｅ）スペクトルを示す図である。
【図２】例示化合物（１−１８）のジメチルスルホキシド−ｄ６中での１Ｈ−ＮＭＲスペクトルを示す図である。
【図３】例示化合物（１−２６）のジメチルスルホキシド−ｄ６中での１Ｈ−ＮＭＲスペクトルを示す図である。
【図４】例示化合物（１−３０）のジメチルスルホキシド−ｄ６中での１Ｈ−ＮＭＲスペクトルを示す図である。
【発明を実施するための形態】
【００２６】
以下、本発明を詳細に説明する。
まず、本発明における置換基の具体例を、置換基群Ａとして定義する。
【００２７】
（置換基群Ａ）
ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、イオン性親水性基が例として挙げられる。これらの置換基は更に置換されてもよく、更なる置換基としては、以上に説明した置換基群Ａから選択される基を挙げることができる。
【００２８】
ハロゲン原子としては、例えば、フッ素原子、塩素原子、臭素原子、又はヨウ素原子が挙げられる。
【００２９】
アルキル基としては、直鎖、分岐、環状の置換若しくは無置換のアルキル基が挙げられ、シクロアルキル基、ビシクロアルキル基、更に環構造が多いトリシクロ構造なども包含するものである。以下に説明する置換基の中のアルキル基（例えば、アルコキシ基、アルキルチオ基のアルキル基）もこのような概念のアルキル基を表す。
アルキル基としては、好ましくは、炭素数１から３０のアルキル基、例えば、メチル基、エチル基、ｎ−プロピル基、ｉ−プロピル基、ｔ−ブチル基、ｎ−オクチル基、エイコシル基、２−クロロエチル基、２−シアノエチル基、２―エチルヘキシル基等が挙げられ、シクロアルキル基としては、好ましくは、炭素数３から３０の置換又は無置換のシクロアルキル基、例えば、シクロヘキシル基、シクロペンチル基、４−ｎ−ドデシルシクロヘキシル基等が挙げられ、ビシクロアルキル基としては、好ましくは、炭素数５から３０の置換若しくは無置換のビシクロアルキル基、つまり、炭素数５から３０のビシクロアルカンから水素原子を一個取り去った一価の基、例えば、ビシクロ［１，２，２］ヘプタン−２−イル基、ビシクロ［２，２，２］オクタン−３−イル基等が挙げられる。
【００３０】
アラルキル基としては、置換若しくは無置換のアラルキル基が挙げられ、置換若しくは無置換のアラルキル基としては、炭素原子数が７〜３０のアラルキル基が好ましい。例えばベンジル基及び２−フェネチル基を挙げられる。
【００３１】
アルケニル基としては、直鎖、分岐、環状の置換若しくは無置換のアルケニル基が挙げられ、シクロアルケニル基、ビシクロアルケニル基を包含する。
アルケニル基としては、好ましくは、炭素数２から３０の置換又は無置換のアルケニル基、例えば、ビニル基、アリル基、プレニル基、ゲラニル基、オレイル基等が挙げられ、シクロアルケニル基としては、好ましくは、炭素数３から３０の置換若しくは無置換のシクロアルケニル基、つまり、炭素数３から３０のシクロアルケンの水素原子を一個取り去った一価の基、例えば、２−シクロペンテン−１−イル基、２−シクロヘキセン−１−イル基等が挙げられ、ビシクロアルケニル基としては、置換若しくは無置換のビシクロアルケニル基、好ましくは、炭素数５から３０の置換若しくは無置換のビシクロアルケニル基、つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。
【００３２】
アルキニル基としては、好ましくは、炭素数２から３０の置換又は無置換のアルキニル基、例えば、エチニル基、プロパルギル基、トリメチルシリルエチニル基等が挙げられる。
【００３３】
アリール基としては、好ましくは、炭素数６から３０の置換若しくは無置換のアリール基、例えば、フェニル基、ｐ−トリル基、ナフチル基、ｍ−クロロフェニル基、ｏ−ヘキサデカノイルアミノフェニル基等が挙げられる。
【００３４】
ヘテロ環基としては、好ましくは、５又は６員の置換若しくは無置換の芳香族若しくは非芳香族のヘテロ環化合物から一個の水素原子を取り除いた一価の基であり、更に好ましくは、炭素数３から３０の５又は６員の芳香族のヘテロ環基、例えば、２−フリル基、２−チエニル基、２−ピリミジニル基、２−ベンゾチアゾリル基等が挙げられる。非芳香族のヘテロ環基の例としては、モルホリニル基等が挙げられる。
【００３５】
アルコキシ基としては、好ましくは、炭素数１から３０の置換若しくは無置換のアルコキシ基、例えば、メトキシ基、エトキシ基、イソプロポキシ基、ｔ−ブトキシ基、ｎ−オクチルオキシ基、２−メトキシエトキシ基等が挙げられる。
【００３６】
アリールオキシ基としては、好ましくは、炭素数６から３０の置換若しくは無置換のアリールオキシ基、例えば、フェノキシ基、２−メチルフェノキシ基、４−ｔ−ブチルフェノキシ基、３−ニトロフェノキシ基、２−テトラデカノイルアミノフェノキシ基等が挙げられる。
【００３７】
シリルオキシ基としては、好ましくは、炭素数０から２０の置換若しくは無置換のシリルオキシ基、例えば、トリメチルシリルオキシ基、ジフェニルメチルシリルオキシ基等が挙げられる。
【００３８】
ヘテロ環オキシ基としては、好ましくは、炭素数２から３０の置換若しくは無置換のヘテロ環オキシ基、例えば、１−フェニルテトラゾール−５−オキシ基、２−テトラヒドロピラニルオキシ基等が挙げられる。
【００３９】
アシルオキシ基としては、好ましくは、ホルミルオキシ基、炭素数２から３０の置換若しくは無置換のアルキルカルボニルオキシ基、炭素数６から３０の置換若しくは無置換のアリールカルボニルオキシ基、例えば、アセチルオキシ基、ピバロイルオキシ基、ステアロイルオキシ基、ベンゾイルオキシ基、ｐ−メトキシフェニルカルボニルオキシ基等が挙げられる。
【００４０】
カルバモイルオキシ基としては、好ましくは、炭素数１から３０の置換若しくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００４１】
アルコキシカルボニルオキシ基としては、好ましくは、炭素数２から３０の置換若しくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。
【００４２】
アリールオキシカルボニルオキシ基としては、好ましくは、炭素数７から３０の置換若しくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。
【００４３】
アミノ基としては、アルキルアミノ基、アリールアミノ基、ヘテロ環アミノ基を含み、好ましくは、アミノ基、炭素数１から３０の置換若しくは無置換のアルキルアミノ基、炭素数６から３０の置換若しくは無置換のアニリノ基、例えば、メチルアミノ基、ジメチルアミノ基、アニリノ基、Ｎ−メチル−アニリノ基、ジフェニルアミノ基、トリアジニルアミノ基等が挙げられる。
【００４４】
アシルアミノ基としては、好ましくは、ホルミルアミノ基、炭素数１から３０の置換若しくは無置換のアルキルカルボニルアミノ基、炭素数６から３０の置換若しくは無置換のアリールカルボニルアミノ基、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。
【００４５】
アミノカルボニルアミノ基としては、好ましくは、炭素数１から３０の置換若しくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。
【００４６】
アルコキシカルボニルアミノ基としては、好ましくは、炭素数２から３０の置換若しくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【００４７】
アリールオキシカルボニルアミノ基としては、好ましくは、炭素数７から３０の置換若しくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基等が挙げられる。
【００４８】
スルファモイルアミノ基としては、好ましくは、炭素数０から３０の置換若しくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。
【００４９】
アルキル又はアリールスルホニルアミノ基としては、好ましくは、炭素数１から３０の置換若しくは無置換のアルキルスルホニルアミノ基、炭素数６から３０の置換若しくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
アルキルチオ基としては、好ましくは、炭素数１から３０の置換若しくは無置換のアルキルチオ基、例えば、メチルチオ基、エチルチオ基、ｎ−ヘキサデシルチオ基等が挙げられる。
【００５０】
アリールチオ基としては、好ましくは、炭素数６から３０の置換若しくは無置換のアリールチオ基、例えば、フェニルチオ基、ｐ−クロロフェニルチオ基、ｍ−メトキシフェニルチオ基等が挙げられる。
【００５１】
ヘテロ環チオ基としては、好ましくは、炭素数２から３０の置換又は無置換のヘテロ環チオ基、例えば、２−ベンゾチアゾリルチオ基、１−フェニルテトラゾール−５−イルチオ基等が挙げられる。
【００５２】
スルファモイル基としては、好ましくは、炭素数０から３０の置換若しくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基等が挙げられる。
【００５３】
アルキル又はアリールスルフィニル基としては、好ましくは、炭素数１から３０の置換又は無置換のアルキルスルフィニル基、炭素数６から３０の置換又は無置換のアリールスルフィニル基、例えば、メチルスルフィニル基、エチルスルフィニル基、フェニルスルフィニル基、ｐ−メチルフェニルスルフィニル基等が挙げられる。
【００５４】
アルキル又はアリールスルホニル基としては、好ましくは、炭素数１から３０の置換又は無置換のアルキルスルホニル基、炭素数６から３０の置換又は無置換のアリールスルホニル基、例えば、メチルスルホニル基、エチルスルホニル基、フェニルスルホニル基、ｐ−メチルフェニルスルホニル基等が挙げられる。
【００５５】
アシル基としては、好ましくは、ホルミル基、炭素数２から３０の置換又は無置換のアルキルカルボニル基、炭素数７から３０の置換若しくは無置換のアリールカルボニル基、炭素数２から３０の置換若しくは無置換の炭素原子でカルボニル基と結合しているヘテロ環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【００５６】
アリールオキシカルボニル基としては、好ましくは、炭素数７から３０の置換若しくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。
【００５７】
アルコキシカルボニル基としては、好ましくは、炭素数２から３０の置換若しくは無置換アルコキシカルボニル基、例えば、メトキシカルボニル基、エトキシカルボニル基、ｔ−ブトキシカルボニル基、ｎ−オクタデシルオキシカルボニル基等が挙げられる。
【００５８】
カルバモイル基としては、好ましくは、炭素数１から３０の置換若しくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【００５９】
アリール又はヘテロ環アゾ基としては、好ましくは炭素数６から３０の置換若しくは無置換のアリールアゾ基、炭素数３から３０の置換若しくは無置換のヘテロ環アゾ基、例えば、フェニルアゾ基、ｐ−クロロフェニルアゾ基、５−エチルチオ−１，３，４−チアジアゾール−２−イルアゾ基等が挙げられる。
【００６０】
イミド基としては、好ましくは、Ｎ−スクシンイミド基、Ｎ−フタルイミド基等が挙げられる。
【００６１】
ホスフィノ基としては、好ましくは、炭素数０から３０の置換若しくは無置換のホスフィノ基、例えば、ジメチルホスフィノ基、ジフェニルホスフィノ基、メチルフェノキシホスフィノ基等が挙げられる。
【００６２】
ホスフィニル基としては、好ましくは、炭素数０から３０の置換若しくは無置換のホスフィニル基、例えば、ホスフィニル基、ジオクチルオキシホスフィニル基、ジエトキシホスフィニル基等が挙げられる。
【００６３】
ホスフィニルオキシ基としては、好ましくは、炭素数０から３０の置換若しくは無置換のホスフィニルオキシ基、例えば、ジフェノキシホスフィニルオキシ基、ジオクチルオキシホスフィニルオキシ基等が挙げられる。
【００６４】
ホスフィニルアミノ基としては、好ましくは、炭素数０から３０の置換若しくは無置換のホスフィニルアミノ基、例えば、ジメトキシホスフィニルアミノ基、ジメチルアミノホスフィニルアミノ基が挙げられる。
【００６５】
シリル基としては、好ましくは、炭素数０から３０の置換若しくは無置換のシリル基、例えば、トリメチルシリル基、ｔ−ブチルジメチルシリル基、フェニルジメチルシリル基等が挙げられる。
【００６６】
イオン性親水性基としては、スルホ基、カルボキシル基、チオカルボキシル基、スルフィノ基、ホスホノ基、ジヒドロキシホスフィノ基、４級アンモニウム基などが挙げられる。特に好ましくはスルホ基、カルボキシル基である。またイオン性親水性基はカチオン又はアニオンを含んでいてもよく、カチオン又はアニオンを含む状態を塩の状態と呼ぶ。カルボキシル基、ホスホノ基及びスルホ基は塩の状態であってもよく、塩を形成する対カチオンの例には、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が含まれ、リチウム塩、ナトリウム塩、カリウム塩、アンモニウム塩が好ましく、ナトリウム塩又はナトリウム塩を主成分とする混合塩が更に好ましく、ナトリウム塩が最も好ましい。
【００６７】
なお、本発明においては、化合物が塩である場合は、水溶性インク中では塩はイオンに解離して存在している。
【００６８】
〔水溶液〕
本発明の水溶液は、一般式（１）で表される化合物と、水混和性有機溶剤とを含む水溶液であって、
水混和性有機溶剤に対する一般式（１）で表される化合物の溶解度が２５℃において３０（ｇ／１００ｇ溶剤）以下であり、
一般式（１）で表される化合物の含有量が水溶液全量に対して５〜２５質量％である、水溶液である。
【００６９】
＜一般式（１）で表される化合物＞
一般式（１）で表される化合物について説明する。一般式（１）で表される化合物は染料として用いられる。
【００７０】
【化８】
2018053190.tif 000009
【００７１】
一般式（１）中、Ｒ１、Ｒ５、Ｒ６及びＲ１０は各々独立にアルキル基を表す。Ｒ４、Ｒ９、Ｒ１７、Ｒ１８、Ｒ１９及びＲ２０は各々独立に水素原子又は置換基を表す。Ｒ２、Ｒ３、Ｒ７及びＲ８は各々独立に水素原子、アルキル基又は下記一般式（Ａ）で表される置換基を表し、Ｒ２、Ｒ３、Ｒ７及びＲ８のうち少なくとも１つは下記一般式（Ａ）で表される置換基を表す。Ｍは水素原子又は一価のカウンターカチオンを表す。
【００７２】
【化９】
2018053190.tif 000010
【００７３】
一般式（Ａ）中、Ｘは下記一般式（Ｘ１）、一般式（Ｘ２）又は一般式（Ｘ３）で表される置換基を表す。＊はベンゼン環に結合する結合手を表す。
【００７４】
【化１０】
2018053190.tif 000011
【００７５】
一般式（Ｘ１）中、Ｒ４０１、Ｒ４０２、Ｒ４０３、Ｒ４０４及びＲ４０５は各々独立に水素原子又は置換基を表す。ただし、Ｒ４０１、Ｒ４０２、Ｒ４０３、Ｒ４０４及びＲ４０５は下記条件（ｉ）又は（ｉｉ）を満たす。＊は硫黄原子に結合する結合手を表す。
条件（ｉ）：Ｒ４０１、Ｒ４０２、Ｒ４０３、Ｒ４０４及びＲ４０５のうち少なくとも１つはヒドロキシル基を表し、かつ少なくとも１つはカルボキシル基を表す。
条件（ｉｉ）：Ｒ４０１、Ｒ４０２、Ｒ４０３、Ｒ４０４及びＲ４０５のうち少なくとも２つはカルボキシル基を表す。
【００７６】
【化１１】
2018053190.tif 000012
【００７７】
一般式（Ｘ２）中、Ｒ５０１、Ｒ５０２、Ｒ５０３、Ｒ５０４、Ｒ５０５、Ｒ５０６及びＲ５０７は各々独立に水素原子又は置換基を表す。ただし、Ｒ５０１、Ｒ５０２、Ｒ５０３、Ｒ５０４、Ｒ５０５、Ｒ５０６及びＲ５０７は下記条件（ｉｉｉ）又は（ｉｖ）を満たす。＊は硫黄原子に結合する結合手を表す。
条件（ｉｉｉ）：Ｒ５０１、Ｒ５０２、Ｒ５０３、Ｒ５０４、Ｒ５０５、Ｒ５０６及びＲ５０７のうち少なくとも１つはヒドロキシル基を表し、かつ少なくとも１つはカルボキシル基を表す。
条件（ｉｖ）：Ｒ５０１、Ｒ５０２、Ｒ５０３、Ｒ５０４、Ｒ５０５、Ｒ５０６及びＲ５０７のうち少なくとも２つはカルボキシル基を表す。
【００７８】
【化１２】
2018053190.tif 000013
【００７９】
一般式（Ｘ３）中、Ｒ６０１、Ｒ６０２、Ｒ６０３、Ｒ６０４、Ｒ６０５、Ｒ６０６及びＲ６０７は各々独立に水素原子又は置換基を表す。ただし、Ｒ６０１、Ｒ６０２、Ｒ６０３、Ｒ６０４、Ｒ６０５、Ｒ６０６及びＲ６０７は下記条件（ｖ）又は（ｖｉ）を満たす。＊は硫黄原子に結合する結合手を表す。
条件（ｖ）：Ｒ６０１、Ｒ６０２、Ｒ６０３、Ｒ６０４、Ｒ６０５、Ｒ６０６及びＲ６０７のうち少なくとも１つはヒドロキシル基を表し、かつ少なくとも１つはカルボキシル基を表す。
条件（ｖｉ）：Ｒ６０１、Ｒ６０２、Ｒ６０３、Ｒ６０４、Ｒ６０５、Ｒ６０６及びＲ６０７のうち少なくとも２つはカルボキシル基を表す。
【００８０】
一般式（１）中、Ｒ１７、Ｒ１８、Ｒ１９及びＲ２０は各々独立に水素原子又は置換基を表す。Ｒ１７、Ｒ１８、Ｒ１９及びＲ２０が置換基を表す場合、置換基としては上記置換基群Ａから選ばれる置換基が挙げられる。
Ｒ１７、Ｒ１８、Ｒ１９及びＲ２０は水素原子を表すことが好ましい。
【００８１】
一般式（１）中、Ｒ１、Ｒ５、Ｒ６及びＲ１０は各々独立にアルキル基を表し、原材料の入手性と合成の容易性の観点から、炭素数１〜６のアルキル基が好ましく、炭素数１〜３のアルキル基がより好ましく、メチル基またはエチル基が更に好ましく、メチル基が特に好ましい。また、Ｒ１、Ｒ５、Ｒ６及びＲ１０が表すアルキル基は置換基を有していてもよく、置換基としては上記置換基群Ａから選ばれる置換基が挙げられる。
【００８２】
一般式（１）中、Ｒ４及びＲ９は各々独立に水素原子又は置換基を表す。Ｒ４及びＲ９が置換基を表す場合の置換基としては、アルキル基又はイオン性親水性基が好ましい。
アルキル基としては、好ましくは炭素数１〜６のアルキル基であり、より好ましくは炭素数１〜３のアルキル基であり、更に好ましくはメチル基又はエチル基であり、特に好ましくはメチル基である。
イオン性親水性基としては、カルボキシル基、スルホ基又はホスホノ基が好ましい。イオン性親水性基の対カチオンとしては、水素原子（プロトン）、アルカリ金属カチオン（リチウムイオン、ナトリウムイオン、又はカリウムイオン）、アンモニウムイオンなどが挙げられるが、合成の容易性（染料粉末としての取り扱いの容易さ）の観点からアルカリ金属カチオンであることが好ましい。
Ｒ４及びＲ９は、各々独立に水素原子、スルホ基又はカルボキシル基を表すことが好ましく、水素原子又はスルホ基を表すことがより好ましく、水素原子を表すことが更に好ましい。
【００８３】
一般式（１）中、Ｒ２、Ｒ３、Ｒ７及びＲ８は各々独立に水素原子、アルキル基又は上記一般式（Ａ）で表される置換基を表し、Ｒ２、Ｒ３、Ｒ７及びＲ８のうち少なくとも１つは上記一般式（Ａ）で表される置換基を表す。
Ｒ２、Ｒ３、Ｒ７及びＲ８がアルキル基を表す場合、炭素数１〜６のアルキル基が好ましく、炭素数１〜３のアルキル基がより好ましく、メチル基またはエチル基が更に好ましく、メチル基が特に好ましい。また、Ｒ２、Ｒ３、Ｒ７及びＲ８が表すアルキル基は置換基を有していてもよく、置換基としては上記置換基群Ａから選ばれる置換基が挙げられる。
Ｒ２及びＲ７が各々独立に一般式（Ａ）で表される置換基を表し、かつＲ３及びＲ８がアルキル基を表す場合、又は、Ｒ３及びＲ８が各々独立に一般式（Ａ）で表される置換基を表し、かつＲ２及びＲ７がアルキル基を表す場合が好ましく、Ｒ２及びＲ７が各々独立に一般式（Ａ）で表される置換基を表し、かつＲ３及びＲ８がアルキル基を表す場合がより好ましい。
【００８４】
一般式（Ａ）中、Ｘは上記一般式（Ｘ１）、一般式（Ｘ２）又は一般式（Ｘ３）で表される置換基を表す。
なお、一般式（Ｘ１）、一般式（Ｘ２）又は一般式（Ｘ３）におけるカルボキシル基の対カチオンとしては、水素原子（プロトン）、アルカリ金属カチオン（リチウムイオン、ナトリウムイオン、又はカリウムイオン）、アンモニウムイオンなどが挙げられるが、アルカリ金属カチオンであることが好ましい。
【００８５】
一般式（Ｘ１）中、Ｒ４０１、Ｒ４０２、Ｒ４０３、Ｒ４０４及びＲ４０５は各々独立に水素原子又は置換基を表す。ただし、Ｒ４０１、Ｒ４０２、Ｒ４０３、Ｒ４０４及びＲ４０５は下記条件（ｉ）又は（ｉｉ）を満たす。
条件（ｉ）：Ｒ４０１、Ｒ４０２、Ｒ４０３、Ｒ４０４及びＲ４０５のうち少なくとも１つはヒドロキシル基を表し、かつ少なくとも１つはカルボキシル基を表す。
条件（ｉｉ）：Ｒ４０１、Ｒ４０２、Ｒ４０３、Ｒ４０４及びＲ４０５のうち少なくとも２つはカルボキシル基を表す。
【００８６】
一般式（Ｘ１）中、Ｒ４０１、Ｒ４０２、Ｒ４０３、Ｒ４０４及びＲ４０５は上記条件（ｉｉ）を満たすことが好ましい。すなわち、Ｒ４０１、Ｒ４０２、Ｒ４０３、Ｒ４０４及びＲ４０５のうち少なくとも２つはカルボキシル基を表すことが好ましい。
【００８７】
上記条件（ｉｉ）において、Ｒ４０１、Ｒ４０２、Ｒ４０３、Ｒ４０４、及びＲ４０５がカルボキシル基以外の置換基を表す場合の置換基としては、上記置換基群Ａから選ばれる置換基が挙げられ、ハロゲン原子、ヒドロキシル基、又はアルキル基であることが好ましい。
【００８８】
Ｒ４０１、Ｒ４０２、Ｒ４０３、Ｒ４０４、及びＲ４０５がハロゲン原子を表す場合のハロゲン原子としては、フッ素原子、塩素原子、臭素原子、又はヨウ素原子が挙げられる。その中でも特に塩素原子、臭素原子が好ましく、原料の入手性から塩素原子が最も好ましい。
Ｒ４０１、Ｒ４０２、Ｒ４０３、Ｒ４０４、及びＲ４０５がアルキル基を表す場合、炭素数１〜６のアルキル基が好ましく、炭素数１〜３のアルキル基がより好ましく、メチル基又はエチル基が更に好ましく、、原料の入手性からメチル基が特に好ましい。また、アルキル基は置換基を有していてもよく、置換基としては上記置換基群Ａから選ばれる置換基が挙げられる。
【００８９】
Ｒ４０１、Ｒ４０２、Ｒ４０３、Ｒ４０４、及びＲ４０５がカルボキシル基以外の置換基を表す場合の置換基としては、塩素原子、ヒドロキシル基、又はメチル基であることがより好ましい。
【００９０】
一般式（Ｘ１）中、Ｒ４０１、Ｒ４０２、Ｒ４０３、Ｒ４０４及びＲ４０５が上記条件（ｉｉ）を満たす場合は、Ｒ４０２及びＲ４０４がカルボキシル基を表すことが好ましい。
さらに、Ｒ４０１が水素原子、ハロゲン原子、ヒドロキシル基、又はメチル基を表し、Ｒ４０３及びＲ４０５が水素原子を表すことがより好ましく、Ｒ４０１が塩素原子、ヒドロキシル基、又はメチル基を表し、Ｒ４０３及びＲ４０５が水素原子を表すことがさらに好ましく、Ｒ４０１がヒドロキシル基を表し、Ｒ４０３及びＲ４０５が水素原子を表すことが特に好ましい。
【００９１】
一般式（Ｘ１）中、Ｒ４０１、Ｒ４０２、Ｒ４０３、Ｒ４０４及びＲ４０５が上記条件（ｉ）を満たす場合、Ｒ４０１、Ｒ４０２、Ｒ４０３、Ｒ４０４及びＲ４０５のうちヒドロキシル基の数は、１〜３個が好ましく、１〜２個がより好ましく、１個が更に好ましい。カルボキシル基の数は１〜３個がより好ましく、１〜２個が更に好ましい。
上記条件（ｉ）において、Ｒ４０３がヒドロキシル基を表し、かつＲ４０２がカルボキシル基を表す場合、又は、Ｒ４０１がヒドロキシル基を表し、かつＲ４０２がカルボキシル基を表す場合が好ましく、Ｒ４０１がヒドロキシル基を表し、かつＲ４０２がカルボキシル基を表す場合がより好ましい。
Ｒ４０１、Ｒ４０２、Ｒ４０３、Ｒ４０４、及びＲ４０５がヒドロキシル基、カルボキシル基以外の置換基を表す場合の置換基としては上記置換基群Ａから選ばれる置換基が挙げられ、アルキル基又はアルコキシ基が好ましく、炭素数１〜６のアルキル基又はアルコキシ基がより好ましく、炭素数１〜３のアルキル基又はアルコキシ基が更に好ましく、メチル基又はメトキシ基が特に好ましい。また、Ｒ４０１、Ｒ４０２、Ｒ４０３、Ｒ４０４、及びＲ４０５が置換基を表す場合の置換基としては、上記とは別の態様として、カルボキシル基、塩素原子、ニトロ基、又はトリフルオロメチル基が挙げられ、カルボキシル基、塩素原子、又はニトロ基がより好ましく、カルボキシル基が更に好ましい。特に、Ｒ４０１がヒドロキシル基を表し、かつＲ４０２がカルボキシル基を表す場合に、Ｒ４０４が上記した置換基（カルボキシル基、塩素原子、ニトロ基、又はトリフルオロメチル基）であることが好ましい。
【００９２】
一般式（Ｘ１）で表される基の具体例を以下に示すが、これらに限定されない。下記具体的化合物の構造式中、Ｍｅはメチル基を表す。＊は硫黄原子に結合する結合手を表す。
【００９３】
【化１３】
2018053190.tif 000014
【００９４】
【化１４】
2018053190.tif 000015
【００９５】
一般式（Ｘ２）中、Ｒ５０１、Ｒ５０２、Ｒ５０３、Ｒ５０４、Ｒ５０５、Ｒ５０６及びＲ５０７は各々独立に水素原子又は置換基を表す。ただし、Ｒ５０１、Ｒ５０２、Ｒ５０３、Ｒ５０４、Ｒ５０５、Ｒ５０６及びＲ５０７は下記条件（ｉｉｉ）又は（ｉｖ）を満たす。
条件（ｉｉｉ）：Ｒ５０１、Ｒ５０２、Ｒ５０３、Ｒ５０４、Ｒ５０５、Ｒ５０６及びＲ５０７のうち少なくとも１つはヒドロキシル基を表し、かつ少なくとも１つはカルボキシル基を表す。
条件（ｉｖ）：Ｒ５０１、Ｒ５０２、Ｒ５０３、Ｒ５０４、Ｒ５０５、Ｒ５０６及びＲ５０７のうち少なくとも２つはカルボキシル基を表す。
【００９６】
一般式（Ｘ２）中、Ｒ５０１、Ｒ５０２、Ｒ５０３、Ｒ５０４、Ｒ５０５、Ｒ５０６及びＲ５０７は条件（ｉｖ）を満たすことが好ましい。すなわち、Ｒ５０１、Ｒ５０２、Ｒ５０３、Ｒ５０４、Ｒ５０５、Ｒ５０６及びＲ５０７のうち少なくとも２つはカルボキシル基を表すことが好ましい。
【００９７】
上記条件（ｉｖ）において、Ｒ５０１、Ｒ５０２、Ｒ５０３、Ｒ５０４、Ｒ５０５、Ｒ５０６及びＲ５０７がカルボキシル基以外の置換基を表す場合の置換基としては、上記置換基群Ａから選ばれる置換基が挙げられ、ハロゲン原子、ヒドロキシル基、又はアルキル基であることが好ましい。
【００９８】
Ｒ５０１、Ｒ５０２、Ｒ５０３、Ｒ５０４、Ｒ５０５、Ｒ５０６及びＲ５０７がハロゲン原子を表す場合のハロゲン原子としては、フッ素原子、塩素原子、臭素原子、又はヨウ素原子が挙げられる。その中でも特に、塩素原子、臭素原子が好ましく、塩素原子が最も好ましい。
Ｒ５０１、Ｒ５０２、Ｒ５０３、Ｒ５０４、Ｒ５０５、Ｒ５０６及びＲ５０７がアルキル基を表す場合、炭素数１〜６のアルキル基が好ましく、炭素数１〜３のアルキル基がより好ましく、メチル基又はエチル基が更に好ましく、メチル基が特に好ましい。また、アルキル基は置換基を有していてもよく、置換基としては上記置換基群Ａから選ばれる置換基が挙げられる。
【００９９】
Ｒ５０１、Ｒ５０２、Ｒ５０３、Ｒ５０４、Ｒ５０５、Ｒ５０６及びＲ５０７がカルボキシル基以外の置換基を表す場合の置換基としては、ハロゲン原子、ヒドロキシル基、又はメチル基であることがより好ましい。
【０１００】
一般式（Ｘ２）中、Ｒ５０１、Ｒ５０２、Ｒ５０３、Ｒ５０４、Ｒ５０５、Ｒ５０６及びＲ５０７が上記条件（ｉｉｉ）を満たす場合、Ｒ５０１、Ｒ５０２、Ｒ５０３、Ｒ５０４、Ｒ５０５、Ｒ５０６及びＲ５０７のうちヒドロキシル基の数は、１〜３個が好ましく、１〜２個がより好ましく、１個が更に好ましい。カルボキシル基の数は１〜２個がより好ましく、１個が更に好ましい。
Ｒ５０４がヒドロキシル基を表し、かつＲ５０３がカルボキシル基を表す場合、又は、Ｒ５０４がヒドロキシル基を表し、かつＲ５０５がカルボキシル基を表す場合が好ましく、Ｒ５０４がヒドロキシル基を表し、かつＲ５０３がカルボキシル基を表す場合がより好ましい。
上記条件（ｉｉｉ）において、Ｒ５０１、Ｒ５０２、Ｒ５０３、Ｒ５０４、Ｒ５０５、Ｒ５０６及びＲ５０７がヒドロキシル基、カルボキシル基以外の置換基を表す場合の置換基としては上記置換基群Ａから選ばれる置換基が挙げられ、アルキル基又はアルコキシ基が好ましく、炭素数１〜６のアルキル基又はアルコキシ基がより好ましく、炭素数１〜３のアルキル基又はアルコキシ基が更に好ましく、メチル基又はメトキシ基が特に好ましい。
【０１０１】
一般式（Ｘ２）で表される基の具体例を以下に示すが、これらに限定されない。＊は硫黄原子に結合する結合手を表す。
【０１０２】
【化１５】
2018053190.tif 000016
【０１０３】
【化１６】
2018053190.tif 000017
【０１０４】
一般式（Ｘ３）中、Ｒ６０１、Ｒ６０２、Ｒ６０３、Ｒ６０４、Ｒ６０５、Ｒ６０６及びＲ６０７は各々独立に水素原子又は置換基を表す。ただし、Ｒ６０１、Ｒ６０２、Ｒ６０３、Ｒ６０４、Ｒ６０５、Ｒ６０６及びＲ６０７は下記条件（ｖ）又は（ｖｉ）を満たす。＊は硫黄原子に結合する結合手を表す。
条件（ｖ）：Ｒ６０１、Ｒ６０２、Ｒ６０３、Ｒ６０４、Ｒ６０５、Ｒ６０６及びＲ６０７のうち少なくとも１つはヒドロキシル基を表し、かつ少なくとも１つはカルボキシル基を表す。
条件（ｖｉ）：Ｒ６０１、Ｒ６０２、Ｒ６０３、Ｒ６０４、Ｒ６０５、Ｒ６０６及びＲ６０７のうち少なくとも２つはカルボキシル基を表す。
【０１０５】
一般式（Ｘ３）中、Ｒ６０１、Ｒ６０２、Ｒ６０３、Ｒ６０４、Ｒ６０５、Ｒ６０６及びＲ６０７は条件（ｖｉ）を満たすことが好ましい。すなわち、Ｒ６０１、Ｒ６０２、Ｒ６０３、Ｒ６０４、Ｒ６０５、Ｒ６０６及びＲ６０７のうち少なくとも２つはカルボキシル基を表すことが好ましい。
【０１０６】
上記条件（ｖｉ）において、Ｒ６０１、Ｒ６０２、Ｒ６０３、Ｒ６０４、Ｒ６０５、Ｒ６０６及びＲ６０７がカルボキシル基以外の置換基を表す場合の置換基としては上記置換基群Ａから選ばれる置換基が挙げられ、ハロゲン原子、ヒドロキシル基、又はアルキル基であることが好ましい。
【０１０７】
Ｒ６０１、Ｒ６０２、Ｒ６０３、Ｒ６０４、Ｒ６０５、Ｒ６０６及びＲ６０７がハロゲン原子を表す場合のハロゲン原子としては、フッ素原子、塩素原子、臭素原子、又はヨウ素原子が挙げられる。その中でも特に、塩素原子、臭素原子が好ましく、塩素原子が最も好ましい。
Ｒ６０１、Ｒ６０２、Ｒ６０３、Ｒ６０４、Ｒ６０５、Ｒ６０６及びＲ６０７がアルキル基を表す場合、炭素数１〜６のアルキル基が好ましく、炭素数１〜３のアルキル基がより好ましく、メチル基又はエチル基が更に好ましく、メチル基が特に好ましい。また、アルキル基は置換基を有していてもよく、置換基としては上記置換基群Ａから選ばれる置換基が挙げられる。
【０１０８】
Ｒ６０１、Ｒ６０２、Ｒ６０３、Ｒ６０４、Ｒ６０５、Ｒ６０６及びＲ６０７がカルボキシル基以外の置換基を表す場合の置換基としては、ハロゲン原子、ヒドロキシル基、又はメチル基であることがより好ましい。
【０１０９】
一般式（Ｘ３）中、Ｒ６０１、Ｒ６０２、Ｒ６０３、Ｒ６０４、Ｒ６０５、Ｒ６０６及びＲ６０７が上記条件（ｖ）を満たす場合、Ｒ６０１、Ｒ６０２、Ｒ６０３、Ｒ６０４、Ｒ６０５、Ｒ６０６及びＲ６０７のうちヒドロキシル基の数は、１〜３個が好ましく、１〜２個がより好ましく、１個が更に好ましい。カルボキシル基の数は１〜２個がより好ましく、１個が更に好ましい。
Ｒ６０６がヒドロキシル基を表し、かつＲ６０５がカルボキシル基を表す場合、又は、Ｒ６０３がヒドロキシル基を表し、かつＲ６０２がカルボキシル基を表す場合が好ましく、Ｒ６０６がヒドロキシル基を表し、かつＲ６０５がカルボキシル基を表す場合がより好ましい。
上記条件（ｖ）において、Ｒ６０１、Ｒ６０２、Ｒ６０３、Ｒ６０４、Ｒ６０５、Ｒ６０６及びＲ６０７がヒドロキシル基、カルボキシル基以外の置換基を表す場合の置換基としては上記置換基群Ａから選ばれる置換基が挙げられ、アルキル基又はアルコキシ基が好ましく、炭素数１〜６のアルキル基又はアルコキシ基がより好ましく、炭素数１〜３のアルキル基又はアルコキシ基が更に好ましく、メチル基又はメトキシ基が特に好ましい。
【０１１０】
一般式（Ｘ３）で表される基の具体例を以下に示すが、これらに限定されない。＊は硫黄原子に結合する結合手を表す。
【０１１１】
【化１７】
2018053190.tif 000018
【０１１２】
【化１８】
2018053190.tif 000019
【０１１３】
一般式（１）中、Ｍは水素原子又は一価のカウンターカチオンを表す。Ｍが一価のカウンターカチオンを表す場合の一価のカウンターカチオンとしては、アルカリ金属カチオン（リチウムイオン、ナトリウムイオン、又はカリウムイオン）、アンモニウムイオンなどが挙げられるが、アルカリ金属カチオンであることが好ましい。その中でも、特にリチウムイオン、ナトリウムイオンが好ましく、ナトリウムイオンが最も好ましい。
【０１１４】
上記一般式（１）で表される化合物は、下記一般式（２）、一般式（３）又は一般式（４）で表される化合物であることが好ましい。
【０１１５】
【化１９】
2018053190.tif 000020
【０１１６】
一般式（２）中、Ｒ１、Ｒ５、Ｒ６及びＲ１０は各々独立にアルキル基を表す。Ｒ４、Ｒ９、Ｒ１７、Ｒ１８、Ｒ１９及びＲ２０は各々独立に水素原子又は置換基を表す。Ｒ３及びＲ８は各々独立に水素原子又はアルキル基を表す。Ｒ４０１、Ｒ４０２、Ｒ４０３、Ｒ４０４及びＲ４０５は各々独立に水素原子又は置換基を表す。ただし、Ｒ４０１、Ｒ４０２、Ｒ４０３、Ｒ４０４及びＲ４０５は下記条件（ｉ−１）又は（ｉｉ−１）を満たす。Ｒ４０６、Ｒ４０７、Ｒ４０８、Ｒ４０９及びＲ４１０は各々独立に水素原子又は置換基を表す。ただし、Ｒ４０６、Ｒ４０７、Ｒ４０８、Ｒ４０９及びＲ４１０は下記条件（ｉ−２）又は（ｉｉ−２）を満たす。Ｍは水素原子又は一価のカウンターカチオンを表す。
条件（ｉ−１）：Ｒ４０１、Ｒ４０２、Ｒ４０３、Ｒ４０４及びＲ４０５のうち少なくとも１つはヒドロキシル基を表し、かつ少なくとも１つはカルボキシル基を表す。
条件（ｉｉ−１）：Ｒ４０１、Ｒ４０２、Ｒ４０３、Ｒ４０４及びＲ４０５のうち少なくとも２つはカルボキシル基を表す。
条件（ｉ−２）：Ｒ４０６、Ｒ４０７、Ｒ４０８、Ｒ４０９及びＲ４１０のうち少なくとも１つはヒドロキシル基を表し、かつ少なくとも１つはカルボキシル基を表す。
条件（ｉｉ−２）：Ｒ４０６、Ｒ４０７、Ｒ４０８、Ｒ４０９及びＲ４１０のうち少なくとも２つはカルボキシル基を表す。
【０１１７】
【化２０】
2018053190.tif 000021
【０１１８】
一般式（３）中、Ｒ１、Ｒ５、Ｒ６及びＲ１０は各々独立にアルキル基を表す。Ｒ４、Ｒ９、Ｒ１７、Ｒ１８、Ｒ１９及びＲ２０は各々独立に水素原子又は置換基を表す。Ｒ３及びＲ８は各々独立に水素原子又はアルキル基を表す。Ｒ５０１、Ｒ５０２、Ｒ５０３、Ｒ５０４、Ｒ５０５、Ｒ５０６及びＲ５０７は各々独立に水素原子又は置換基を表す。ただし、Ｒ５０１、Ｒ５０２、Ｒ５０３、Ｒ５０４、Ｒ５０５、Ｒ５０６及びＲ５０７は下記条件（ｉｉｉ−１）又は（ｉｖ−１）を満たす。Ｒ５０８、Ｒ５０９、Ｒ５１０、Ｒ５１１、Ｒ５１２、Ｒ５１３及びＲ５１４は各々独立に水素原子又は置換基を表す。ただし、Ｒ５０８、Ｒ５０９、Ｒ５１０、Ｒ５１１、Ｒ５１２、Ｒ５１３及びＲ５１４は下記条件（ｉｉｉ−２）又は（ｉｖ−２）を満たす。Ｍは水素原子又は一価のカウンターカチオンを表す。
条件（ｉｉｉ−１）：Ｒ５０１、Ｒ５０２、Ｒ５０３、Ｒ５０４、Ｒ５０５、Ｒ５０６及びＲ５０７のうち少なくとも１つはヒドロキシル基を表し、かつ少なくとも１つはカルボキシル基を表す。
条件（ｉｖ−１）：Ｒ５０１、Ｒ５０２、Ｒ５０３、Ｒ５０４、Ｒ５０５、Ｒ５０６及びＲ５０７のうち少なくとも２つはカルボキシル基を表す。
条件（ｉｉｉ−２）：Ｒ５０８、Ｒ５０９、Ｒ５１０、Ｒ５１１、Ｒ５１２、Ｒ５１３及びＲ５１４のうち少なくとも１つはヒドロキシル基を表し、かつ少なくとも１つはカルボキシル基を表す。
条件（ｉｖ−２）：Ｒ５０８、Ｒ５０９、Ｒ５１０、Ｒ５１１、Ｒ５１２、Ｒ５１３及びＲ５１４のうち少なくとも２つはカルボキシル基を表す。
【０１１９】
【化２１】
2018053190.tif 000022
【０１２０】
一般式（４）中、Ｒ１、Ｒ５、Ｒ６及びＲ１０は各々独立にアルキル基を表す。Ｒ４、Ｒ９、Ｒ１７、Ｒ１８、Ｒ１９及びＲ２０は各々独立に水素原子又は置換基を表す。Ｒ３及びＲ８は各々独立に水素原子又はアルキル基を表す。Ｒ６０１、Ｒ６０２、Ｒ６０３、Ｒ６０４、Ｒ６０５、Ｒ６０６及びＲ６０７は各々独立に水素原子又は置換基を表す。ただし、Ｒ６０１、Ｒ６０２、Ｒ６０３、Ｒ６０４、Ｒ６０５、Ｒ６０６及びＲ６０７は下記条件（ｖ−１）又は（ｖｉ−１）を満たす。Ｒ６０８、Ｒ６０９、Ｒ６１０、Ｒ６１１、Ｒ６１２、Ｒ６１３及びＲ６１４は各々独立に水素原子又は置換基を表す。ただし、Ｒ６０８、Ｒ６０９、Ｒ６１０、Ｒ６１１、Ｒ６１２、Ｒ６１３及びＲ６１４は下記条件（ｖ−２）又は（ｖｉ−２）を満たす。Ｍは水素原子又は一価のカウンターカチオンを表す。
条件（ｖ−１）：Ｒ６０１、Ｒ６０２、Ｒ６０３、Ｒ６０４、Ｒ６０５、Ｒ６０６及びＲ６０７のうち少なくとも１つはヒドロキシル基を表し、かつ少なくとも１つはカルボキシル基を表す。
条件（ｖｉ−１）：Ｒ６０１、Ｒ６０２、Ｒ６０３、Ｒ６０４、Ｒ６０５、Ｒ６０６及びＲ６０７のうち少なくとも２つはカルボキシル基を表す。
条件（ｖ−２）：Ｒ６０８、Ｒ６０９、Ｒ６１０、Ｒ６１１、Ｒ６１２、Ｒ６１３及びＲ６１４のうち少なくとも１つはヒドロキシル基を表し、かつ少なくとも１つはカルボキシル基を表す。
条件（ｖｉ−２）：Ｒ６０８、Ｒ６０９、Ｒ６１０、Ｒ６１１、Ｒ６１２、Ｒ６１３及びＲ６１４のうち少なくとも２つはカルボキシル基を表す。
【０１２１】
一般式（２）中のＲ１、Ｒ４、Ｒ５、Ｒ６、Ｒ９、Ｒ１０、Ｒ１７、Ｒ１８、Ｒ１９、Ｒ２０、及びＭは各々一般式（１）中のＲ１、Ｒ４、Ｒ５、Ｒ６、Ｒ９、Ｒ１０、Ｒ１７、Ｒ１８、Ｒ１９、Ｒ２０、及びＭと同義であり、好ましい範囲も同様である。
一般式（２）中のＲ３及びＲ８は各々独立に水素原子又はアルキル基を表し、アルキル基を表すことが好ましい。アルキル基としては、炭素数１〜６のアルキル基が好ましく、炭素数１〜３のアルキル基がより好ましく、メチル基またはエチル基が更に好ましく、メチル基が特に好ましい。また、アルキル基は置換基を有していてもよく、置換基としては上記置換基群Ａから選ばれる置換基が挙げられる。
一般式（２）中のＲ４０１、Ｒ４０２、Ｒ４０３、Ｒ４０４及びＲ４０５は、上記条件（ｉｉ−１）を満たすことが好ましい。すなわち、Ｒ４０１、Ｒ４０２、Ｒ４０３、Ｒ４０４及びＲ４０５のうち少なくとも２つはカルボキシル基を表すことが好ましい。Ｒ４０１、Ｒ４０２、Ｒ４０３、Ｒ４０４及びＲ４０５の好ましい範囲は、各々一般式（Ｘ１）中のＲ４０１、Ｒ４０２、Ｒ４０３、Ｒ４０４及びＲ４０５と同様である。
一般式（２）中のＲ４０６、Ｒ４０７、Ｒ４０８、Ｒ４０９及びＲ４１０は、上記条件（ｉｉ−２）を満たすことが好ましい。すなわち、Ｒ４０６、Ｒ４０７、Ｒ４０８、Ｒ４０９及びＲ４１０のうち少なくとも２つはカルボキシル基を表すことが好ましい。Ｒ４０６、Ｒ４０７、Ｒ４０８、Ｒ４０９及びＲ４１０の好ましい範囲は、各々一般式（２）中のＲ４０１、Ｒ４０２、Ｒ４０３、Ｒ４０４及びＲ４０５と同様である。
【０１２２】
一般式（３）中のＲ１、Ｒ４、Ｒ５、Ｒ６、Ｒ９、Ｒ１０、Ｒ１７、Ｒ１８、Ｒ１９、Ｒ２０、及びＭは各々一般式（１）中のＲ１、Ｒ４、Ｒ５、Ｒ６、Ｒ９、Ｒ１０、Ｒ１７、Ｒ１８、Ｒ１９、Ｒ２０、及びＭと同義であり、好ましい範囲も同様である。
一般式（３）中のＲ３及びＲ８は各々独立に水素原子又はアルキル基を表し、アルキル基を表すことが好ましい。アルキル基としては、炭素数１〜６のアルキル基が好ましく、炭素数１〜３のアルキル基がより好ましく、メチル基またはエチル基が更に好ましく、メチル基が特に好ましい。また、アルキル基は置換基を有していてもよく、置換基としては上記置換基群Ａから選ばれる置換基が挙げられる。
一般式（３）中のＲ５０１、Ｒ５０２、Ｒ５０３、Ｒ５０４、Ｒ５０５、Ｒ５０６及びＲ５０７は、上記条件（ｉｖ−１）を満たすことが好ましい。すなわち、Ｒ５０１、Ｒ５０２、Ｒ５０３、Ｒ５０４、Ｒ５０５、Ｒ５０６及びＲ５０７のうち少なくとも２つはカルボキシル基を表すことが好ましい。Ｒ５０１、Ｒ５０２、Ｒ５０３、Ｒ５０４、Ｒ５０５、Ｒ５０６及びＲ５０７の好ましい範囲は、各々一般式（Ｘ２）中のＲ５０１、Ｒ５０２、Ｒ５０３、Ｒ５０４、Ｒ５０５、Ｒ５０６及びＲ５０７と同様である。
一般式（３）中のＲ５０８、Ｒ５０９、Ｒ５１０、Ｒ５１１、Ｒ５１２、Ｒ５１３及びＲ５１４は、上記条件（ｉｖ−２）を満たすことが好ましい。すなわち、Ｒ５０８、Ｒ５０９、Ｒ５１０、Ｒ５１１、Ｒ５１２、Ｒ５１３及びＲ５１４のうち少なくとも２つはカルボキシル基を表すことが好ましい。Ｒ５０８、Ｒ５０９、Ｒ５１０、Ｒ５１１、Ｒ５１２、Ｒ５１３及びＲ５１４の好ましい範囲は、各々一般式（３）中のＲ５０１、Ｒ５０２、Ｒ５０３、Ｒ５０４、Ｒ５０５、Ｒ５０６及びＲ５０７と同様である。
【０１２３】
一般式（４）中のＲ１、Ｒ４、Ｒ５、Ｒ６、Ｒ９、Ｒ１０、Ｒ１７、Ｒ１８、Ｒ１９、Ｒ２０、及びＭは各々一般式（１）中のＲ１、Ｒ４、Ｒ５、Ｒ６、Ｒ９、Ｒ１０、Ｒ１７、Ｒ１８、Ｒ１９、Ｒ２０、及びＭと同義であり、好ましい範囲も同様である。
一般式（４）中のＲ３及びＲ８は各々独立に水素原子又はアルキル基を表し、アルキル基を表すことが好ましい。アルキル基としては、炭素数１〜６のアルキル基が好ましく、炭素数１〜３のアルキル基がより好ましく、メチル基またはエチル基が更に好ましく、メチル基が特に好ましい。また、アルキル基は置換基を有していてもよく、置換基としては上記置換基群Ａから選ばれる置換基が挙げられる。
一般式（４）中のＲ６０１、Ｒ６０２、Ｒ６０３、Ｒ６０４、Ｒ６０５、Ｒ６０６及びＲ６０７は、上記条件（ｖｉ−１）を満たすことが好ましい。すなわち、Ｒ６０１、Ｒ６０２、Ｒ６０３、Ｒ６０４、Ｒ６０５、Ｒ６０６及びＲ６０７のうち少なくとも２つはカルボキシル基を表すことが好ましい。Ｒ６０１、Ｒ６０２、Ｒ６０３、Ｒ６０４、Ｒ６０５、Ｒ６０６及びＲ６０７の好ましい範囲は、各々一般式（Ｘ３）中のＲ６０１、Ｒ６０２、Ｒ６０３、Ｒ６０４、Ｒ６０５、Ｒ６０６及びＲ６０７と同様である。
一般式（４）中のＲ６０８、Ｒ６０９、Ｒ６１０、Ｒ６１１、Ｒ６１２、Ｒ６１３及びＲ６１４は、上記条件（ｖｉ−２）を満たすことが好ましい。すなわち、Ｒ６０８、Ｒ６０９、Ｒ６１０、Ｒ６１１、Ｒ６１２、Ｒ６１３及びＲ６１４のうち少なくとも２つはカルボキシル基を表すことが好ましい。Ｒ６０８、Ｒ６０９、Ｒ６１０、Ｒ６１１、Ｒ６１２、Ｒ６１３及びＲ６１４の好ましい範囲は、各々一般式（４）中のＲ６０１、Ｒ６０２、Ｒ６０３、Ｒ６０４、Ｒ６０５、Ｒ６０６及びＲ６０７と同様である。
【０１２４】
上記一般式（１）で表される化合物は、上記一般式（２）で表される化合物であることがより好ましく、上記一般式（２）中のＲ４０１、Ｒ４０２、Ｒ４０３、Ｒ４０４及びＲ４０５が上記条件（（ｉｉ−１）を満たし、Ｒ４０６、Ｒ４０７、Ｒ４０８、Ｒ４０９及びＲ４１０が上記条件（ｉｉ−２）を満たすことがより好ましい。
【０１２５】
上記一般式（１）又は一般式（２）で表される化合物は、下記一般式（２’）で表される化合物であることが更に好ましい。
【０１２６】
【化２２】
2018053190.tif 000023
【０１２７】
一般式（２’）中、Ｒ４０１及びＲ４０６はそれぞれ独立に水素原子、ハロゲン原子、ヒドロキシル基、又はメチル基を表す。Ｍは水素原子、リチウムイオン、ナトリウムイオン、カリウムイオン、又はアンモニウムイオンを表す。
【０１２８】
上記一般式（２’）中、Ｒ４０１及びＲ４０６はそれぞれ独立に水素原子、ハロゲン原子、ヒドロキシル基、又はメチル基を表す。
Ｒ４０１及びＲ４０６がハロゲン原子を表す場合のハロゲン原子としては、フッ素原子、塩素原子、臭素原子、又はヨウ素原子が挙げられる。その中でも特に塩素原子、臭素原子が好ましく、塩素原子が最も好ましい。
Ｒ４０１及びＲ４０６は、水素原子、塩素原子、ヒドロキシル基、又はメチル基であることが好ましく、水素原子、ヒドロキシル基であることがより好ましく、その中でもヒドロキシル基が最も好ましい。
【０１２９】
上記一般式（２’）中、Ｍは水素原子、リチウムイオン、ナトリウムイオン、カリウムイオン、又はアンモニウムイオンを表す。
Ｍはアルカリ金属カチオン（リチウムイオン、ナトリウムイオン、又はカリウムイオン）であることが好ましく、特にリチウムイオン、ナトリウムイオンが好ましく、ナトリウムイオンが最も好ましい。
【０１３０】
以下に一般式（１）で表される化合物の具体例を挙げるが、これらに限定されるわけではない。下記具体的化合物の構造式中、Ｍｅはメチル基を表し、Ｅｔはエチル基を表す。
【０１３１】
【化２３】
2018053190.tif 000024
【０１３２】
【化２４】
2018053190.tif 000025
【０１３３】
【化２５】
2018053190.tif 000026
【０１３４】
【化２６】
2018053190.tif 000027
【０１３５】
【化２７】
2018053190.tif 000028
【０１３６】
【化２８】
2018053190.tif 000029
【０１３７】
なお一般式（１）で表される化合物の具体的な合成法は実施例にて例示する。
【０１３８】
本発明の水溶液中の一般式（１）で表される化合物の含有量は、水溶液全量に対して５〜２５質量％であり、６〜１５質量％であることが好ましく、７〜１２質量％であることがより好ましい。
水溶液中に含まれる一般式（１）で表される化合物の含有量を５質量％以上にすることで、インクジェット記録用インクの処方設計が容易になる。また、２５質量％以下にすることで、水溶液に長期貯蔵安定性を付与できる。
【０１３９】
〔水混和性有機溶剤〕
本発明の水溶液は、水混和性有機溶剤を含む。
水混和性有機溶剤とは、２５℃の水に対する溶解度が１０質量％以上である有機溶剤をいう。
本発明において用いられる水混和性有機溶剤は、上記一般式（１）で表される化合物の２５℃における溶解度が、３０（ｇ／１００ｇ溶剤）以下である。ここで溶解度とは溶剤１００ｇ中にある一定の温度で溶解可能な溶質の質量を表し、単位は「ｇ／１００ｇ溶剤」である。
水混和性有機溶剤に対する一般式（１）で表される化合物の２５℃における溶解度は、より好ましくは２０（ｇ／１００ｇ溶剤）以下であり、更に好ましくは１０（ｇ／１００ｇ溶剤）以下である。
【０１４０】
本発明の水溶液に水混和性有機溶剤を用いることで、冷寒地での貯蔵安定性（本発明の水溶液の凍結防止）が可能となる。凍結後に再溶解することで、水溶液中に不溶解物の発生抑制及び水溶液物性の変化調整効果が確認でき、更に、本発明の水溶液を用いて、インクジェット記録用インクを調液（製造）する際の混液変動等に伴う工程不安定化を抑制できる。また、インク処方設計上も液物性規格のコントロールや品質トラブルの制約を受けにくい。
【０１４１】
上記水混和性有機溶剤の例としては、以下の溶剤が挙げられる。本発明では下記溶剤の中から適宜選択して水混和性有機溶剤として用いることができる。
・アルコール類（モノアルコール、例えば、メタノール、エタノール、プロパノール、イソプロパノール、ブタノール、ペンタノール、ヘキサノール、ドデカノール、シクロヘキサノール、ベンジルアルコール、及びアセチレンアルコール類）、
・多価アルコール類（例、エチレングリコール、ジエチレングリコール、チオジエチレングリコール、トリエチレングリコール、テトラエチレングリコール、ポリエチレングリコールなどのエチレンジオール類；２−メチル−１，３−プロパンジオール、２−エチル−１，３−プロパンジオール、３−メトキシ−１，２−プロパンジオールなどのプロパンジオール類；２−ブテン−１，４−ジオール、１，３−ブタンジオール、２−メチル−１，４−ブタンジールなどのブタンジオール類；２−メチル−２，４−ペンタンジオール、１，５−ペンタンジオール、１，４−ペンタンジオール、３−メチル−１，３−ペンタンジオール、２，４−ジエチル−１，５−ペンタンジオールなどのペンタンジオール類；１，２−ヘキサンジオールなどのヘキサンジオール類；１，２，６−トリメチル−１，７−ヘプタンジオール、２，４，６−トリエチル−１，７−ヘプタンジオールなどのヘプタンジオール類；３，６−ジチア−１，８−オクタンジオールなどのオクタンジオール類；その他、プロピレングリコール、ジプロピレングリコール、ポリプロピレングリコール、ブチレングリコールなどのアルキレンジオール類；グリセリン、ヘキサントリオール、チオジグリコール、トリメチロールプロパンなどのポリオール類）、
・グリコール誘導体（例えば、エチレングリコールモノメチルエーテル、エチレングリコールモノエチルエーテル、エチレングリコールモノブチルエーテル、ジエチレングリコールモノメチルエーテル、ジエチレングリコールモノメチルエーテル、ジエチレングリコールモノブチルエーテル、トリエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、ポリエチレングリコールモノメチルエーテル、エチレングリコールモノイソプロピルエーテル、トリエチレングリコールモノブチルエーテル、エチレングリコールモノイソブチルエーテル、ジエチレングリコールモノイソブチルエーテル、プロピレングリコールモノプロピルエーテル、エチレングリコールジアセテート、エチレングリコールモノメチルエーテルアセテート、トリエチレングリコールモノメチルエーテル、トリエチレングリコールモノエチルエーテル、エチレングリコールモノフェニルエーテル）、
【０１４２】
・アミン（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン）、及び、
・その他の極性溶媒（例えば、ホルムアミド、Ｎ，Ｎ−ジメチルホルムアミド、Ｎ，Ｎ−ジメチルアセトアミド、ジメチルスルホキシド、スルホラン、３−メチルスルホラン、３−スルホレン、ビス（２−ヒドロキシエチル）スルホン、２−ピロリドン、Ｎ−メチル−２−ピロリドン、Ｎ−ビニル−２−ピロリドン、２−ピロリドン−５−カルボン酸、２−オキサゾリドン、１，３−ジメチル−２−イミダゾリジノン、アセトニトリル、アセトン、ジアセトンアルコール、４−ピコリン）。
なお、水混和性有機溶剤は、２種類以上を併用してもよい。
【０１４３】
水混和性有機溶剤としては、グリセリン、プロピレングリコール（ＰＧ）、ジプロピレングリコール（ＤＰＧ）、エチレングリコールモノブチルエーテル（ＥＧｍＢＥ）、ジエチレングリコールモノブチルエーテル（ＤＥＧｍＢＥ）、プロピレングリコールモノメチルエーテル（ＰＧｍＭＥ）、プロピレングリコールモノプロピルエーテル（ＰＧｍＰＥ）、トリエチレングリコールモノブチルエーテルなどが好ましい。
【０１４４】
水混和性有機溶剤は多価アルコール類を含むことが好ましく、なかでもグリセリンを含むことがより好ましい。グリセリンは、水に溶け易く、保湿剤としても優れ、臭気毒性も殆どなく、水溶液の凍結防止能が高く、安価に入手できる一方、上記一般式（１）で表される化合物の溶解能が低く、要求特性を制御し易いためである。
【０１４５】
また、水混和性有機溶剤は、アルコール類又は多価アルコール類を含むことが好ましく、多価アルコール類を含むことがより好ましい。
水混和性有機溶剤は、更にグリコール誘導体を含むことが好ましい。
【０１４６】
水混和性有機溶剤として多価アルコール類を含む場合、多価アルコール類の含有量は本発明の水溶液全量に対して３０質量％未満であることが好ましく、１〜３０質量％であることがより好ましく、５〜２０質量％であることが更に好ましい。水混和性有機溶剤の含有量を上記範囲とすることにより、インクジェット記録用インクの連続打滴性に適した粘度、表面張力となり、高品位な印画が可能であるとともに、染料の析出を抑制しインクヘッドの詰まりを抑制するとともに、ヘッド詰まり等のクリーニングに適したインク液が得られる。
【０１４７】
水混和性有機溶剤としてグリコール誘導体を含む場合、グリコール誘導体の含有量は本発明の水溶液全量に対して３０質量％未満であることが好ましく、1〜３０質量％であることがより好ましく、５〜２０質量％であることが更に好ましい。
水混和性有機溶剤は市販されているものを使用することができ、また通常の方法で合成することもできる。
【０１４８】
本発明の水溶液において、上記水混和性有機溶剤の総含有量が上記水溶液全量に対して１〜７０質量％であることが好ましく、５〜６５質量％であることがより好ましく、５〜６０質量％であることが更に好ましい。水混和性有機溶剤の総含有量が１質量％以上であると、本発明の水溶液の凍結防止となり、３０質量％以下であると、インクジェット記録用インクの調液が容易となる。
【０１４９】
＜防腐剤＞
本発明の水溶液は更に防腐剤を含んでもよい。
本発明において、防腐剤とは微生物、特に細菌及び真菌（カビ）の発生、発育を防止する機能を有するものを言う。
本発明に使用可能な防腐剤としては、種々のものが使用可能である。
【０１５０】
防腐剤としては、重金属イオンを含有する無機物系の防腐剤（銀イオン含有物など）、塩類をまず挙げることができる。有機系の防腐剤としては、第４級アンモニウム塩（テトラブチルアンモニウムクロリド、セチルピリジニウムクロリド、ベンジルトリメチルアンモニウムクロリド等）、フェノール誘導体（フェノール、クレゾール、ブチルフェノール、キシレノール、ビスフェノール等）、フェノキシエーテル誘導体（フェノキシエタノール等）、複素環化合物（ベンゾトリアゾール、プロキセル（ＰＲＯＸＥＬ）、１，２−ベンゾイソチアゾリン−３−オン等）、アルカンジオール類（ペンチレングリコール（１，２−ペンタンジオール）、イソペンチルジオール（３−メチル−１，３−ブタンジオール）、ヘキサンジオール（１，２−ヘキサンジオール）等）、カプリリルグリコール（１，２−オクタンジオール）等）、酸アミド類、カルバミン酸、カルバメート類、アミジン・グアニジン類、ピリジン類（ナトリウムピリジンチオン−１−オキシド等）、ジアジン類、トリアジン類、ピロール・イミダゾール類、オキサゾール・オキサジン類、チアゾール・チアジアジン類、チオ尿素類、チオセミカルバジド類、ジチオカルバメート類、スルフィド類、スルホキシド類、スルホン類、スルファミド類、抗生物質類（ペニシリン、テトラサイクリン等）、デヒドロ酢酸ナトリウム、安息香酸ナトリウム、ｐ−ヒドロキシ安息香酸エチルエステル、及びその塩など種々のものが使用可能である。防腐剤として好ましくは複素環化合物、フェノール誘導体、フェノキシエーテル誘導体、及びアルカンジオール類からなる群より選ばれる防腐剤を少なくとも１種用いることが好ましい。また、防腐剤としては防菌防微ハンドブック（技報堂：１９８６）、防菌防黴剤事典（日本防菌防黴学会事典編集委員会編）等に記載のものも使用し得る。
【０１５１】
これらの化合物は油溶性の構造、水溶性の構造のものなど種々のものが使用可能であるが、好ましくは水溶性の化合物である。
本発明の水溶液は、２種以上の防腐剤を含有してもよい。本発明では、これらの防腐剤を２種以上併用して使用すると、水溶液及び上記水溶液を用いた着色組成物又はインクジェット記録用インクを使用して画した記録画像の保存安定性、特に色相安定性が向上し、また長期保存後の水溶液を用いたインクジェット記録用インクを使用してインクジェットプリンターで印画する際のインク吐出安定性が格段に向上するなど、本発明の効果が更に良好に発揮される。これは、２種以上の防腐剤に菌が接触することにより、個々の防腐剤に対する菌の耐性獲得が抑制されるためであると考えられる。
２種以上の防腐剤を組み合わせる場合、それらの防腐剤は異なった化学構造の骨格を有するものであることが好ましい。また、２種以上の防腐剤を含有する場合には、少なくとも１種の防腐剤が、複素環化合物、フェノール誘導体、フェノキシエーテル誘導体、又はアルカンジオール類であることが好ましく、なかでも複素環化合物であることが好ましい。例えば、複素環化合物とフェノキシエーテル誘導体の組み合わせ、複素環化合物とフェノール誘導体との組み合わせ、複素環化合物とアルカンジオール類との組み合わせ等が好ましく挙げられる。
【０１５２】
更に、複素環化合物としては、チアゾール系化合物又はベンゾトリアゾール系化合物であることが好ましい。
チアゾール系化合物は、防腐剤のなかでも、特に防黴剤として機能する。チアゾール系化合物としては、ベンズイソチアゾリン、イソチアゾリン、１，２−ベンズイソチアゾリン−３−オン、５−クロロ−２−メチル−４−イソチアゾリン−３−オン、２−（チオシアノメチルチオ）ベンズチアゾール、２−メルカプトベンズチアゾール及び３−アリルオキシ−１，２−ベンズイソチアゾール−１，１−オキシド等を挙げることができる。また、チアゾール系防黴剤としてアーチ・ケミカルズ（株）より製造販売されているＰｒｏｘｅｌ（商標）シリーズ（ＢＤＮ，ＢＤ２０，ＧＸＬ，ＬＶ，ＸＬＩＩ及びＵｌｔｒａ１０等）を使用することもできる。
【０１５３】
ベンゾトリアゾール系化合物は、防腐剤のなかでも、特に防錆剤として機能し、例えば、インクジェットヘッドを構成する金属材料（特に、４２合金（４２％ニッケルを含有するニッケル−鉄合金））がインクとの接触を原因の一つとする錆の発生を防止することができる。ベンゾトリアゾール系化合物としては、１Ｈ−ベンゾトリアゾール、４−メチル−１Ｈ−ベンゾトリアゾール、５−メチル−１Ｈ−ベンゾトリアゾール及びこれらのナトリウム塩又はカリウム塩等を挙げることができる。
【０１５４】
２種以上の防腐剤を組み合わせる場合の含有量比は、特に限定的ではないが、各防腐剤のそれぞれの含有量が、防腐剤の総含有量の１質量％以上であることが好ましく、１０質量％以上であることがより好ましく、２０質量％以上であることが更に好ましい。また各防腐剤のそれぞれの含有量が、防腐剤の総含有量の９９質量％以下であることが好ましく、９０質量％以下であることがより好ましく、８０質量％以下であることが更に好ましい。この値とすることで、それぞれの防腐剤の効果を効率的に得ることができ、また防腐剤間の相乗効果も得やすくなる。また、防腐剤の効果を維持しつつ、インクに触れた人、特に防腐剤に対して敏感な人が、かぶれ等を生じる可能性も低減できる。
【０１５５】
防腐剤の本発明の水溶液中の含有量（防腐剤を２種以上含有する場合にはその総含有量）は広い範囲で使用可能であるが、好ましくは水溶液全量に対して０．００１〜１０質量％、より好ましくは０．００５〜２．０質量％、更に好ましくは０．０１〜０．５質量％である。０．００１〜１０質量％とすることで、防腐剤の効果をより効率的に得ることができ、また析出物の発生を抑制できる。
【０１５６】
本発明の水溶液において、一般式（１）で表される化合物と防腐剤との質量比（一般式（１）で表される化合物／防腐剤）は、９０／１０〜１００／１であることが好ましい。
上記の範囲とすることで本発明の水溶液中に一般式（１）で表される化合物が安定に溶解し、且つ、細菌及び真菌（カビ）の発生、発育を防止する効果を両立できることになる。
【０１５７】
＜ベタイン化合物＞
本発明の水溶液は、必要に応じてベタイン化合物を含有することが好ましい。本発明の水溶液にベタイン化合物を含有させることによりインクジェット記録用インクの処方設計及び製造時の調液が容易になるため好ましい。
更に、本発明の水溶液をインクジェット記録用インクとして調液後使用した際に、インクジェット印画物の耐湿度性（滲み）が向上する。
【０１５８】
本発明で好ましく使用されるベタイン化合物は、界面活性能を有するベタイン型界面活性剤であることが好ましい。
【０１５９】
ここで言うベタイン化合物とは、分子中にカチオン性の部位とアニオン性の部位を両方とも有する化合物を表す。
【０１６０】
カチオン性の部位としてはアミン性の窒素原子、ヘテロ芳香族環の窒素原子、炭素との結合を４つ有するホウ素原子、リン原子などを挙げることができる。この中で好ましくはアミン性の窒素原子もしくはヘテロ芳香族環の窒素原子である。中でも特に第４級の窒素原子であることが好ましい。
【０１６１】
アニオン性の部位としては、水酸基、チオ基、スルホンアミド基、スルホ基、カルボキシル基、イミド基、リン酸基、ホスホン酸基などを挙げることができる。この中でも特にカルボキシル基、スルホ基が好ましい。分子全体としての荷電は、カチオン、アニオン、中性のいずれでもよいが、好ましくは中性である。
【０１６２】
ベタイン化合物としては、下記一般式（Ｗ−１）で表される化合物で表される化合物が好ましく用いられる。
【０１６３】
一般式（Ｗ−１）
（Ｒ）ｐ−Ｎ−［Ｌ−（ＣＯＯＭ１）ｑ］ｒ
【０１６４】
式中、Ｒは、水素原子、アルキル基、アリール基、ヘテロ環基を表す。Ｌはｑ＋１価の連結基を表す。Ｍ１は水素原子、又は一価のカウンターカチオンを表し、式中のＮ原子からなるアンモニウムイオンの対イオンとなる場合は、カチオンとして存在しない基を表す。ｑは１以上の整数を表し、ｒは１以上４以下の整数を表す。ｐは０以上３以下の整数を表し、ｐ＋ｒは３もしくは４である。ｐ＋ｒが４である場合は、Ｎ原子はプロトン化されたアンモニウム原子（＝Ｎ＋＝）となる。ｑが２以上の時は、ＣＯＯＭ１は同じでも異なっていてもよい。ｒが２以上の時はＬ−（ＣＯＯＭ１）ｑは同じでも異なっていてもよい。ｐが２以上の時は、Ｒは同じでも異なっていてもよい。
【０１６５】
式中、Ｒは水素原子、アルキル基（置換されていてもよい。好ましくは炭素数１ないし２０の基である。例えばメチル基、エチル基、プロピル基、ブチル基、ヘキシル基、オクチル基、ドデシル基、セチル基、ステアリル基、オレイル基など）、アリール基（置換されていてもよい。好ましくは炭素数６ないし２０の基である。例えばフェニル基、トリル基、キシリル基、ナフチル基、クミル基、ドデシルフェニル基など）、ヘテロ環基（置換されていてもよい。好ましくは炭素数２ないし２０の基である。例えばピリジル基、キノリル基など）を表し、それぞれが互いに連結して環状構造を形成してもよい。この中で特に好ましくはアルキル基である。
【０１６６】
Ｌはｑ＋１価の連結基を表す。この例としては、アルキレン基、アリーレン基等を基本的な構成単位として含むｑ＋１価の連結基が好ましい。連結主鎖部に酸素原子、硫黄原子、窒素原子などのヘテロ原子を含有してもよい。
【０１６７】
ＲもしくはＬには種々の置換基が置換可能である。例えばアルキル基（好ましくは炭素数１〜２０、より好ましくは炭素数１〜１２、特に好ましくは炭素数１〜８であり、例えばメチル、エチル、ｉｓｏ−プロピル、ｔｅｒｔ−ブチル、ｎ−オクチル、ｎ−デシル、ｎ−ヘキサデシル、シクロプロピル、シクロペンチル、シクロヘキシル等が挙げられる。）、アルケニル基（好ましくは炭素数２〜２０、より好ましくは炭素数２〜１２、特に好ましくは炭素数２〜８であり、例えばビニル、アリル、２−ブテニル、３−ペンテニル等が挙げられる。）、アルキニル基（好ましくは炭素数２〜２０、より好ましくは炭素数２〜１２、特に好ましくは炭素数２〜８であり、例えばプロパルギル、３−ペンチニル等が挙げられる。）、アリール基（好ましくは炭素数６〜３０、より好ましくは炭素数６〜２０、特に好ましくは炭素数６〜１２であり、例えばフェニル、ｐ−メチルフェニル、ナフチル等が挙げられる。）、アミノ基（好ましくは炭素数０〜２０、より好ましくは炭素数０〜１２、特に好ましくは炭素数０〜６であり、例えばアミノ、メチルアミノ、ジメチルアミノ、ジエチルアミノ、ジフェニルアミノ、ジベンジルアミノ等が挙げられる。）、アルコキシ基（好ましくは炭素数１〜２０、より好ましくは炭素数１〜１２、特に好ましくは炭素数１〜８であり、例えばメトキシ、エトキシ、ブトキシ等が挙げられる。）、アリールオキシ基（好ましくは炭素数６〜２０、より好ましくは炭素数６〜１６、特に好ましくは炭素数６〜１２であり、例えばフェニルオキシ、２−ナフチルオキシ等が挙げられる。）、アシル基（好ましくは炭素数１〜２０、より好ましくは炭素数１〜１６、特に好ましくは炭素数１〜１２であり、例えばアセチル、ベンゾイル、ホルミル、ピバロイル等が挙げられる。）、アルコキシカルボニル基（好ましくは炭素数２〜２０、より好ましくは炭素数２〜１６、特に好ましくは炭素数２〜１２であり、例えばメトキシカルボニル、エトキシカルボニル等が挙げられる。）、アリールオキシカルボニル基（好ましくは炭素数７〜２０、より好ましくは炭素数７〜１６、特に好ましくは炭素数７〜１０であり、例えばフェニルオキシカルボニルなどが挙げられる。）、アシルオキシ基（好ましくは炭素数２〜２０、より好ましくは炭素数２〜１６、特に好ましくは炭素数２〜１０であり、例えばアセトキシ、ベンゾイルオキシ等が挙げられる。）、アシルアミノ基（好ましくは炭素数２〜２０、より好ましくは炭素数２〜１６、特に好ましくは炭素数２〜１０であり、例えばアセチルアミノ、ベンゾイルアミノ等が挙げられる。）、アルコキシカルボニルアミノ基（好ましくは炭素数２〜２０、より好ましくは炭素数２〜１６、特に好ましくは炭素数２〜１２であり、例えばメトキシカルボニルアミノ等が挙げられる。）、アリールオキシカルボニルアミノ基（好ましくは炭素数７〜２０、より好ましくは炭素数７〜１６、特に好ましくは炭素数７〜１２であり、例えばフェニルオキシカルボニルアミノ等が挙げられる。）、スルホニルアミノ基（好ましくは炭素数１〜２０、より好ましくは炭素数１〜１６、特に好ましくは炭素数１〜１２であり、例えばメタンスルホニルアミノ、ベンゼンスルホニルアミノ等が挙げられる。）、スルファモイル基（好ましくは炭素数０〜２０、より好ましくは炭素数０〜１６、特に好ましくは炭素数０〜１２であり、例えばスルファモイル、メチルスルファモイル、ジメチルスルファモイル、フェニルスルファモイル等が挙げられる。）、カルバモイル基（好ましくは炭素数１〜２０、より好ましくは炭素数１〜１６、特に好ましくは炭素数１〜１２であり、例えばカルバモイル、メチルカルバモイル、ジエチルカルバモイル、フェニルカルバモイル等が挙げられる。）、アルキルチオ基（好ましくは炭素数１〜２０、より好ましくは炭素数１〜１６、特に好ましくは炭素数１〜１２であり、例えばメチルチオ、エチルチオ等が挙げられる。）、アリールチオ基（好ましくは炭素数６〜２０、より好ましくは炭素数６〜１６、特に好ましくは炭素数６〜１２であり、例えばフェニルチオ等が挙げられる。）、スルホニル基（好ましくは炭素数１〜２０、より好ましくは炭素数１〜１６、特に好ましくは炭素数１〜１２であり、例えばメシル、トシル等が挙げられる。）、スルフィニル基（好ましくは炭素数１〜２０、より好ましくは炭素数１〜１６、特に好ましくは炭素数１〜１２であり、例えばメタンスルフィニル、ベンゼンスルフィニル等が挙げられる。）、ウレイド基（好ましくは炭素数１〜２０、より好ましくは炭素数１〜１６、特に好ましくは炭素数１〜１２であり、例えばウレイド、メチルウレイド、フェニルウレイド等が挙げられる。）、リン酸アミド基（好ましくは炭素数１〜２０、より好ましくは炭素数１〜１６、特に好ましくは炭素数１〜１２であり、例えばジエチルリン酸アミド、フェニルリン酸アミド等が挙げられる。）、ヒドロキシ基、メルカプト基、ハロゲン原子（例えばフッ素原子、塩素原子、臭素原子、ヨウ素原子）、シアノ基、スルホ基、カルボキシル基、ニトロ基、ヒドロキサム酸基、スルフィノ基、ヒドラジノ基、イミノ基、ヘテロ環基（好ましくは炭素数１〜３０、より好ましくは炭素数１〜１２であり、ヘテロ原子としては、例えば窒素原子、酸素原子、硫黄原子を含むものであり具体的には例えばイミダゾリル、ピリジル、キノリル、フリル、チエニル、ピペリジル、モルホリノ、ベンゾオキサゾリル、ベンゾイミダゾリル、ベンゾチアゾリル、カルバゾリル、アゼピニル等が挙げられる。）、シリル基（好ましくは炭素数３〜４０、より好ましくは炭素数３〜３０、特に好ましくは炭素数３〜２４であり、例えばトリメチルシリル、トリフェニルシリル等が挙げられる。）等が挙げられる。これらの置換基は更に置換されても良い。また置換基が二つ以上ある場合は、同一でも異なっていても良い。また、可能な場合には互いに連結して環を形成していても良い。また、ＲもしくはＬを介して、ベタイン構造が複数含まれていてもよい。
【０１６８】
Ｍ１は水素原子又は一価のカウンターカチオンを表す。
なお、Ｍ１が式中のＮ原子からなるアンモニウムイオンの対イオンとなる場合は、カチオンとして存在しない基を表す。
一価のカウンターカチオンとしては、アルカリ金属カチオン（たとえばナトリウムイオン、カリウムイオン、リチウムイオン、セシウムイオン）、アンモニウムイオン、アミン性の有機カチオン（１ないし３級アミンの場合、プロトン化されたものを表す。たとえばプロトン化されたメチルアミン、ジメチルアミン、エチルアミン、ジエチルアミン、トリエチルアミン、ジアザビシクロウンデセン、ジアザビシクロオクタン、ピペリジン、ピロリジン、モルホリン、Ｎ−メチルピペリジン、Ｎ−メチルモルホリン、ピリジン、ピラジン、アニリン、Ｎ，Ｎ−ジメチルアニリン等。４級アンモニウム塩の場合、たとえばテトラメチルアンモニウムイオン、テトラエチルンモニウムイオン、トリメチルベンジルアンモニウムイオン、メチルピリジニウムイオン、ベンジルピリジニウムイオン等。）を表す。
Ｍ１は、アルカリ金属イオン又は水素原子を表すことが好ましい。
【０１６９】
ｑは１以上（好ましくは５以下、より好ましくは２以下）の整数を表し、ｒは１以上４以下（好ましくは１または２）の整数を表す。ｐは０以上３以下（好ましくは１または２）の整数を表し、ｐ＋ｒは３もしくは４である。ｐ＋ｒが４の場合、Ｎ原子は４級アンモニウムカチオンとなり、ＣＯＯＭ１のうちの１つが解離状態のアニオンとなる。ｑが２以上の時はＣＯＯＭ１は同じでも異なっていてもよい。ｒが２以上の時はＬ−（ＣＯＯＭ１）ｑは同じでも異なっていてもよい。ｐが２以上の時はＲは同じでも異なっていてもよい。
【０１７０】
本発明に使用するベタイン化合物としては、一般式（Ｗ−１）で表される化合物の中でも、特に下記一般式（Ｗ−２）又は（Ｗ−３）で表される化合物が好ましく用いられる。
【０１７１】
【化２９】
2018053190.tif 000030
【０１７２】
一般式（Ｗ−２）中、Ｒａ〜Ｒｃは、上記一般式（Ｗ−１）中のＲと同義であり、好ましい範囲も同様である。Ｌ１は２価の連結基を表し、上記一般式（Ｗ−１）中のＬが２価の連結基である場合と同様である。
【０１７３】
一般式（Ｗ−２）で表されるベタイン化合物においては、Ｒａ〜ＲｃもしくはＬ中の少なくとも１つに、炭素数８以上の基を含有することが好ましい。中でも特に、Ｒａ〜Ｒｃに炭素数８以上の長鎖アルキル基が含有されるものが好ましい。その中でも、炭素数１２以上の長鎖アルキル基が含有されるものが好ましく、特に炭素数１４〜１８の長鎖アルキル基が含有されるものが最も好ましい。
【０１７４】
一般式（Ｗ−３）
（Ｒ）ｓ−Ｎ−［Ｌ−（ＣＯＯＭ１ａ）ｔ］ｕ
【０１７５】
式中、Ｒ、Ｌ、ｑ、は一般式（Ｗ−１）におけるＲ、Ｌ、ｑと同義あり、好ましい範囲も同様である。Ｍ１ａはアルカリ金属イオン又は水素原子である。ｕは１以上３以下の整数を表す。ｓは０以上２以下の整数を表す。但し、ｓ＋ｕは３である。ｓが２の時はＲは同じでも異なっていてもよい。ｑが２以上の時はＣＯＯＭ１ａは同じでも異なっていてもよい。ｕが２以上の時はＬ−（ＣＯＯＭ１ａ）ｔは同じでも異なっていてもよい。
【０１７６】
一般式（Ｗ−３）中、Ｍ１ａはアルカリ金属イオン又は水素原子を表す。
Ｍ１ａがアルカリ金属イオンを表す場合のアルカリ金属イオンとしては、例えばナトリウムイオン、カリウムイオン、リチウムイオン、セシウムイオン等が挙げられる。
【０１７７】
ｕは１以上３以下（好ましくは１または２）の整数を表す。ｓは０以上２以下（好ましくは１または２）の整数を表し、ｓ＋ｕは３である。
【０１７８】
さらに、ＲまたはＬに炭素数８以上の炭化水素基が含まれていることが好ましい。
【０１７９】
上記一般式（Ｗ−１）又は上記一般式（Ｗ−３）で表される化合物は、下記一般式（Ｗ−４）で表される化合物が最も好ましい。
【０１８０】
一般式（Ｗ−４）
Ｒ−Ｎ−（Ｌ−ＣＯＯＭ１）２
【０１８１】
Ｒ、Ｌ及びＭ１は先述の一般式（Ｗ−１）中のＲ、Ｌ及びＭ１と同様である。二つの（Ｌ−ＣＯＯＭ１）は同じでも異なっていてもよい（二つの、Ｌ及びＭ１は同じでも異なっていてもよい）。Ｒは特にアルキル基が好ましく、Ｌはアルキレン基であることが好ましい。
中でも特に、Ｒに炭素数８以上の長鎖アルキル基が含有されるものが好ましい。
その中でも、炭素数１２以上の長鎖アルキル基が含有されるものが好ましく、特に炭素数１４〜１８の長鎖アルキル基が含有されるものが最も好ましい。
【０１８２】
上記ベタイン化合物の具体例を以下に挙げるが、これらに限定されるわけではない。下記具体的化合物の構造式中、（ｎ）は直鎖型であることを表す。
【０１８３】
【化３０】
2018053190.tif 000031
【０１８４】
上記以外のベタイン化合物の具体例としては特開２００５−２９８７４４号公報の段落番号００３３〜００４３に記載の具体例化合物が挙げられる。
【０１８５】
ベタイン化合物の好ましい含有量は、好ましくは本発明の水溶液全量に対して０．１〜１０質量％であり、より好ましくは１〜６質量％である。
含有量を０．１質量％以上とすることでインクジェット記録用インクとして使用した際の印画物の画質及び保存安定性が向上し、１０質量％以下とすることで本発明の水溶液の製造時の工程安定化が確保される。
【０１８６】
２種以上を併用する場合、最大使用量の化合物は最小使用量の化合物に対して、１〜１００００倍の質量比で使用されることが好ましい。
【０１８７】
＜その他の成分＞
本発明の水溶液は、上記の成分の他に必要に応じてその他の成分を含んでいてもよい。例えばなど界面活性剤が挙げられる。
【０１８８】
〔界面活性剤〕
本発明の着色組成物は、界面活性剤を含有させることができる。本発明で使用される界面活性剤としては脂肪酸塩類、高級アルコールのエステル塩類、アルキルベンゼンスルホン酸塩類、スルホコハク酸エステル塩類、高級アルコールのリン酸エステル塩類等のアニオン界面活性剤、脂肪族アミン塩類、４級アンモニウム塩類等のカチオン界面活性剤、高級アルコールのエチレンオキサイド付加物、アルキルフェノールのエチレンオキサイド付加物、多価アルコール脂肪酸エステルのエチレンオキサイド付加物、アセチレングリコール及びそのエチレンオキサイド付加物等のノニオン界面活性剤、アミノ酸型、ベタイン型等の両性界面活性剤、フッ素系、シリコン系化合物等が挙げられる。これらは単独であるいは２種以上を用いることができる。
【０１８９】
本発明の着色組成物に界面活性剤を含有させ、表面張力等のインクの液物性を調整することで、インクの吐出安定性を向上させ、画像の耐水性の向上や印字したインクの滲みの防止などに優れた効果を持たせることができる。また、上記の界面活性剤は２種類以上併用してもよい。
本発明で用いる着色組成物は、吐出安定性の向上、混色時の滲みの防止、ひげ防止などのような印字品質を向上しつつ、吐出時にハード表面へのインクの付着等による印字不良も防ぐ観点から、界面活性剤を０．００５〜５質量％含有することが好ましく、より好ましくは０．００５〜３質量％含有する。着色組成物中の界面活性剤の含有量が０．００５〜５質量％の範囲にあると、吐出安定性の低下、混色時の滲みの発生、ひげ発生などの印字品質の低下が起こらず、吐出時、ノズル周辺部へのインクの付着等による印字不良を抑えることができる。
【０１９０】
本発明の着色組成物は、水性媒体中に染料を溶解させ、更に界面活性剤を特定量添加し、必要に応じてその他の添加剤を溶解及び／又は分散させることによって作製することができる。本発明における「水性媒体」とは、水又は水と少量の水混和性有機溶剤との混合物に、必要に応じて湿潤剤、安定剤、防腐剤等の添加剤を添加したものを意味する。
【０１９１】
本発明の着色組成物を調液する際には、水溶性の着色組成物の場合、まず水に溶解することが好ましい。そのあと、各種溶剤や添加物を添加し、溶解、混合して均一なインク液とする。
このときの溶解方法としては、攪拌による溶解、超音波照射による溶解、振とうによる溶解等種々の方法が使用可能である。中でも特に攪拌法が好ましく使用される。攪拌を行う場合、公知の流動攪拌や反転アジターやディゾルバを利用した剪断力を利用した攪拌など、種々の方式が利用可能である。一方では、磁気攪拌子のように、容器底面との剪断力を利用した攪拌法も好ましく利用できる。
【０１９２】
〔着色組成物〕
本発明の着色組成物は、上記水溶液を用いた着色組成物である。すなわち、本発明の着色組成物は、上記水溶液を用いて調製されたものであり、上記水溶液を含むものである。また、上記水溶液そのものを着色組成物として用いてもよい。
本発明の着色組成物は、更に、媒体を含有させることができるが、媒体として溶媒を用いた場合は特にインクジェット記録用インクとして好適である。上記媒体としては、親油性媒体又は水性媒体が挙げられ、好ましくは、水性媒体を用いる場合である。
【０１９３】
着色組成物中に含まれる上記一般式（１）で表される化合物の含有量は、用いられる一般式（１）で表される化合物の種類、及び着色組成物を製造するために用いる溶媒成分の種類等により決められるが、着色組成物中の一般式（１）で表される化合物の含有量が、着色組成物の総質量に対して０．１〜２０質量％含まれることが好ましく、０．２〜２０質量％含まれることがより好ましく、１〜２０質量％含まれることが更に好ましく、１〜１０質量％含まれることが特に好ましく、２〜６質量％含まれることが最も好ましい。
【０１９４】
着色組成物中に含まれる一般式（１）で表される化合物の含有量を１質量％以上にすることで、印刷したときの記録媒体上におけるインクの印画濃度を良好にできる。また、着色組成物中に含まれる一般式（１）で表される化合物の合計量を１０質量％以下にすることで、インクジェット記録方法に用いた場合に着色組成物の吐出性を良好にでき、しかもインクジェットノズルが目詰まりしにくい等の効果が得られる。
【０１９５】
本発明の着色組成物は、必要に応じてその他の添加剤を、本発明の効果を奏する範囲内において含有してもよい。
本発明の着色組成物は、インクジェット記録用インクとして好適に用いられる。
【０１９６】
［インクジェット記録用インク］
本発明のインクジェット記録用インクは、本発明の水溶液又は本発明の着色組成物を用いたインクジェット記録用インクである。すなわち、本発明のインクジェット記録用インクは、上記水溶液又は着色組成物を用いて調製されたものであり、上記水溶液又は着色組成物を含むものである。また、上記水溶液又は着色組成物そのものをインクジェット記録用インクとして用いてもよい。インクジェット記録用インクは、好ましくは水性媒体を用いたインクである。
インクジェット記録用インクは必要に応じてその他の添加剤を、本発明の効果を奏する範囲内において含有することができる。その他の添加剤としては、例えば、乾燥防止剤（湿潤剤）、褪色防止剤、乳化安定剤、浸透促進剤、紫外線吸収剤、防腐剤、防黴剤、ｐＨ調整剤、表面張力調整剤、消泡剤、粘度調整剤、分散剤、分散安定剤、防錆剤、キレート剤、ベタイン化合物等の公知の添加剤が挙げられる。これらの各種添加剤は、水溶性インクの場合にはインク液に直接添加することができる。
【０１９７】
水性媒体は、水を主成分とし、所望により、水混和性有機溶剤を添加した混合物を用いることができる。水混和性有機溶剤の例には、アルコール（例えば、メタノール、エタノール、プロパノール、イソプロパノール、ブタノール、イソブタノール、ｓｅｃ−ブタノール、ｔ−ブタノール、ペンタノール、ヘキサノール、シクロヘキサノール、ベンジルアルコール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール）、グリコール誘導体（例えば、エチレングリコールモノメチルエーテル、エチレングリコールモノエチルエーテル、エチレングリコールモノブチルエーテル、ジエチレングルコールモノメチルエーテル、ジエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、エチレングリコールジアセテート、エチレングリコールモノメチルエーテルアセテート、トリエチレングリコールモノメチルエーテル、トリエチレングリコールモノエチルエーテル、エチレングリコールモノフェニルエーテル）、アミン（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレントリアミン、トリエチレンテトラミン、ポリエチレンイミン、テトラメチルプロピレンジアミン）及びその他の極性溶媒（例えば、ホルムアミド、Ｎ，Ｎ−ジメチルホルムアミド、Ｎ，Ｎ−ジメチルアセトアミド、ジメチルスルホキシド、スルホラン、２−ピロリドン、Ｎ−メチル−２−ピロリドン、Ｎ−ビニル−２−ピロリドン、２−オキサゾリドン、１，３−ジメチル−２−イミダゾリジノン、アセトニトリル、アセトン）が含まれる。なお、水混和性有機溶剤は、二種類以上を併用してもよい。
【０１９８】
本発明においては、インク中に混入する無機イオンの合計質量をインク総重量に対して２質量％以下に抑えることが好ましい。
【０１９９】
ここでいう無機イオンとは、染料のカウンターイオンの無機イオン、ベタイン界面活性剤に含まれる不純物である無機塩由来の無機イオン、ベタイン化合物のイオン当量からはずれたイオン成分のカウンターイオンとなる無機イオン、ｐＨ調節に使用する無機塩類から導入される無機イオン、キレート剤、防腐剤などのインク添加剤から導入される無機イオンの総和を表す。ただし、本発明においては、アンモニウムイオンを揮発性の化合物として取り扱い、この無機イオンから除外する。
【０２００】
無機イオン総量としては、インクの２質量％以下であることが好ましく、より好ましくは１質量％以下、特に好ましくは、０．５質量％以下である。
【０２０１】
無機イオンのインク中の含有量を極力低減させるためには、種々の手法を用いることができる。
【０２０２】
例えば、特開２００４−２８５２６９号公報に記載の方法で実施することができる。
【０２０３】
第一に、インクに使用する素材（例えば、ベタイン化合物）に含有される無機イオンを素材合成時に除去する方法を挙げることができる。水溶性インク素材の場合、特に水溶性を向上させる目的でイオン解離性基を数多く導入する場合が多い。このとき、素材合成時に多量の無機物を含んだり、カウンターイオンとして必然的に無機イオンが含まれてきたりする。前者のイオンを除くためには、イオン選択性透過膜を用いた電気分解透析法による脱塩精製法や、イオン交換樹脂による方法、ゲル濾過法による脱塩精製などを行うことができる。
【０２０４】
また、合成時に積極的にイオン交換する方法も使用することができる。たとえば、過剰のアンモニアや有機アミン類を添加して金属イオンと交換する方法や、アニオンの場合ならば有機カルボン酸と交換する方法を挙げることができる。また、合成時における脱塩法として有機溶媒により積極的に塩を析出させ濾過により除去する方法も利用できる。
【０２０５】
第二に、この脱塩精製を、インク原材料の状態、すなわち各種素材を水などの溶媒に溶解した上記水溶液の状態で行うことも好ましい。場合によっては、完成インクでの脱塩精製も可能である。
【０２０６】
本発明のインクジェット記録用インクは、粘度が３０ｍＰａ・ｓ以下であるのが好ましい。また、その表面張力は２５ｍＮ／ｍ以上７０ｍＮ／ｍ以下であるのが好ましい。粘度及び表面張力は、種々の添加剤、例えば、粘度調整剤、表面張力調整剤、比抵抗調整剤、皮膜調整剤、紫外線吸収剤、酸化防止剤、褪色防止剤、防黴剤、防錆剤、分散剤及び界面活性剤を添加することによって、調整できる。
【０２０７】
本発明のインクジェット記録用インクは、様々な色調のインク用いることができるが、マゼンタ色調インクに用いることが好ましい。また、単色の画像形成のみならず、フルカラーの画像形成に用いることができる。フルカラー画像を形成するために、マゼンタ色調インク、シアン色調インク、及びイエロー色調インクを用いることができ、また、色調を整えるために、更にブラック色調インクを用いてもよい。
【０２０８】
本発明のインクジェット記録用インクは、印捺、複写、マーキング、筆記、製図、スタンピングなどの記録方法に使用でき、特にインクジェット記録方法における使用に適する。
【０２０９】
［インクジェット記録方法］
本発明のインクジェット記録方法は、本発明のインクジェット記録用インクにエネルギーを供与して、公知の受像材料、即ち普通紙、樹脂コート紙、例えば特開平８−１６９１７２号公報、同８−２７６９３号公報、同２−２７６６７０号公報、同７−２７６７８９号公報、同９−３２３４７５号公報、特開昭６２−２３８７８３号公報、特開平１０−１５３９８９号公報、同１０−２１７４７３号公報、同１０−２３５９９５号公報、同１０−３３７９４７号公報、同１０−２１７５９７号公報、同１０−３３７９４７号公報等に記載されているインクジェット専用紙、フィルム、電子写真共用紙、布帛、ガラス、金属、陶磁器等に画像を形成する。
【０２１０】
画像を形成する際に、光沢性や耐水性を与えたり耐候性を改善する目的からポリマー微粒子分散物（ポリマーラテックスともいう）を併用してもよい。ポリマーラテックスを受像材料に付与する時期については、着色剤を付与する前であっても，後であっても、また同時であってもよく、したがって添加する場所も受像紙中であっても、インク中であってもよく、あるいはポリマーラテックス単独の液状物として使用しても良い。具体的には、特願２０００−３６３０９０号、同２０００−３１５２３１号、同２０００−３５４３８０号、同２０００−３４３９４４号、同２０００−２６８９５２号、同２０００−２９９４６５号、同２０００−２９７３６５号等の各明細書に記載された方法を好ましく用いることができる。
【０２１１】
［インクジェットプリンタカートリッジ、及びインクジェット記録物］
本発明のインクジェット記録用インクカートリッジは、上記した本発明のインクジェット記録用インクを充填したものである。また、インクジェット記録物は、上記した本発明のインクジェット記録用インクを用いて、被記録材に着色画像を形成したものである。
【０２１２】
本発明のインクジェット記録用インクは、インクジェットの記録方式に制限はなく、公知の方式、例えば静電誘引力を利用してインクを吐出させる電荷制御方式、ピエゾ素子の振動圧力を利用するドロップオンデマンド方式（圧力パルス方式）、電気信号を音響ビームに変えインクに照射して、放射圧を利用してインクを吐出させる音響インクジェット方式、及びインクを加熱して気泡を形成し、生じた圧力を利用するサーマルインクジェット方式等に用いられる。インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。
【実施例】
【０２１３】
以下、実施例を示して本発明を詳しく説明するが、本発明はこれらの実施例に何ら限定されるものではない。例中の「％」及び「部」は、特記ない限り、質量％及び質量部である。
【０２１４】
（染料の合成例）
（例示化合物（１−１１）の合成）
例示化合物（１−１１）は、例えば下記スキームに従い、合成することができる。
【０２１５】
【化３１】
2018053190.tif 000032
【０２１６】
（中間体（Ｂ）の合成）
中間体（Ａ）２３．０ｇ（特開２０１１−１４８９７３号公報の第１７頁の段落番号００６５記載の方法で合成）を、１０％発煙硫酸４２０ｇに添加して、室温にて４８時間反応させた。反応液を大過剰の酢酸エチルに注ぎ入れ、析出した結晶をろ別した。ろ別した結晶を５００ｍＬのメタノールに溶解させ、２８％ナトリウムメトキシドメタノール溶液を用いてｐＨ７に調整し、析出した硫酸ナトリウムをろ過により取り除いた。ろ液をロータリーエバポレーターを用いて濃縮し、得られた残渣をカラムクロマトグラフィ（充填剤：セファデックスＬＨ−２０（ファルマシア製）、展開溶媒：メタノール）で精製し、中間体（Ｂ）の結晶を得た。収量２１．０ｇ、収率６８％、マススペクトル（ＭＳ）（ｍ／ｚ）＝７９３（［Ｍ−２Ｎａ＋Ｈ］−、１００％）。
【０２１７】
（例示化合物（１−１１）の合成）
中間体（Ｂ）３．０ｇを超純水１５ｍＬに溶解させ、内温を１０℃以下に冷却した。５−クロロスルホニルサリチル酸（独国特許ＤＥ２６４７８６号記載の方法で合成）２．５５ｇを粉体添加し、内温１０℃以下のまま、１０％ＮａＯＨ水溶液を用いて反応液のｐＨを８．０に保ち、ｐＨの変化がなくなるまで滴下を続けた。得られた反応液を大過剰のイソプロピルアルコールに注ぎ入れ、析出した固体をろ別した。得られた固体を水／メタノール：１／１混合溶媒２０ｍＬに溶解し、カラムクロマトグラフィ（充填剤：セファデックスＬＨ−２０（ファルマシア製）、展開溶媒：水／メタノール）で精製したのちに、透析膜（分画分子量３５００、Ｓｐｅｃｔｒａ／Ｐｏｒ３  Ｄｉａｌｙｓｉｓ  Ｍｅｍｂｒａｎｅ（商品名、スペクトラム＝ラボラトリー社製））を用いて、無機塩及び残留有機溶媒を除去した。得られた水溶液を、希水酸化ナトリウム水溶液でｐＨを７に調整し、メンブレンフイルターで除塵ろ過を行い、得られた水溶液をロータリーエバポレーターで濃縮乾固することで例示化合物（１−１１）の緑色光沢結晶を得た。収量１．５ｇ、収率３３％。ＭＳ（ｍ／ｚ）＝１１９１（［Ｍ−１］−、１００％）。例示化合物（１−１１）の希薄水溶液中での吸収スペクトルの吸収極大波長は５３２ｎｍ、モル吸光係数は８７０００であった。例示化合物（１−１１）のジメチルスルホキシド−ｄ６中での１Ｈ−ＮＭＲスペクトルを図１に示す。
【０２１８】
（例示化合物（１−３０）の合成）
例示化合物（１−３０）は、たとえば下記スキームに従い、合成することができる。
【０２１９】
【化３２】
2018053190.tif 000033
【０２２０】
前述の例示化合物（１−１１）の合成中間体として得られた中間体（Ｂ）３．０ｇを超純水１５ｍＬに溶解させた。５−クロロスルホニル−テレフタル酸ジメチル（独国特許ＤＥ２７８０９１号記載の方法で合成）２．２ｇを粉体添加し、１０％ＮａＯＨ水溶液を用いて反応液のｐＨを５〜７に保ち、ｐＨの変化がなくなるまで滴下を続けた。反応終了後、続けて５０％ＮａＯＨ水溶液３ｍＬを加えて、１時間攪拌した。得られた反応液を大過剰のエタノールに注ぎ入れ、析出した固体をろ別した。得られた固体を水／メタノール：１／１混合溶媒２０ｍＬに溶解し、カラムクロマトグラフィ（充填剤：セファデックスＬＨ−２０（ファルマシア製）、展開溶媒：水／メタノール）で精製したのちに、透析膜（分画分子量３５００、Ｓｐｅｃｔｒａ／Ｐｏｒ３  Ｄｉａｌｙｓｉｓ  Ｍｅｍｂｒａｎｅ（商品名、スペクトラム＝ラボラトリー社製））を用いて、無機塩及び残留有機溶媒を除去した。得られた水溶液を、希水酸化ナトリウム水溶液でｐＨを７に調整し、メンブレンフイルターで除塵ろ過を行い、得られた水溶液をロータリーエバポレーターで濃縮乾固することで例示化合物（１−３０）の緑色光沢結晶を得た。収量３．７ｇ、収率７０％。ＭＳ（ｍ／ｚ）＝１２４７（［Ｍ−１］−、１００％）。例示化合物（１−３０）の希薄水溶液中での吸収スペクトルの吸収極大波長は５３２ｎｍ、モル吸光係数は８２０００であった。例示化合物（１−３０）のジメチルスルホキシド−ｄ６中での１Ｈ−ＮＭＲスペクトルを図４に示す。
【０２２１】
（例示化合物（１−１８）の合成）
例示化合物（１−１８）は、例えば下記スキームに従い、合成することができる。
【０２２２】
【化３３】
2018053190.tif 000034
【０２２３】
前述の例示化合物（１−１１）の合成中間体として得られた中間体（Ｂ）３．０ｇを超純水１５ｍＬに溶解させ、内温を１０℃以下に冷却した。５−クロロスルホニル−３−ヒドロキシ−２−ナフトエ酸（独国特許ＤＥ２６４７８６号記載の方法で合成）２．２ｇを粉体添加し、内温１０℃以下のまま、１０％ＮａＯＨ水溶液を用いて反応液のｐＨを７．５に保ち、ｐＨの変化がなくなるまで滴下を続けた。得られた反応液を大過剰のイソプロピルアルコールに注ぎ入れ、析出した固体をろ別した。得られた固体を水／メタノール：１／１混合溶媒２０ｍＬに溶解し、カラムクロマトグラフィ（充填剤：セファデックスＬＨ−２０（ファルマシア製）、展開溶媒：水／メタノール）で精製したのちに、透析膜（分画分子量３５００、Ｓｐｅｃｔｒａ／Ｐｏｒ３  Ｄｉａｌｙｓｉｓ  Ｍｅｍｂｒａｎｅ（商品名、スペクトラム＝ラボラトリー社製））を用いて、無機塩及び残留有機溶媒を除去した。得られた水溶液を、希水酸化ナトリウム水溶液でｐＨを７に調整し、メンブレンフイルターで除塵ろ過を行い、得られた水溶液をロータリーエバポレーターで濃縮乾固することで例示化合物（１−１８）の緑色光沢結晶を得た。収量１．２ｇ、収率２４％。ＭＳ（ｍ／ｚ）＝１２９１（［Ｍ−１］−、１００％）。例示化合物（１−１８）の希薄水溶液中での吸収スペクトルの吸収極大波長は５３２ｎｍ、モル吸光係数は８５０００であった。例示化合物（１−１８）のジメチルスルホキシド−ｄ６中での１Ｈ−ＮＭＲスペクトルを図２に示す。
【０２２４】
（例示化合物（１−２５）の合成）
例示化合物（１−２５）は、例えば下記スキームに従い、合成することができる。
【０２２５】
【化３４】
2018053190.tif 000035
【０２２６】
前述の例示化合物（１−１１）の合成中間体として得られた中間体（Ｂ）３．０ｇを超純水１５ｍＬに溶解させ、内温を１０℃以下に冷却した。６−クロロスルホニル−２−ヒドロキシ−１−ナフトエ酸（独国特許ＤＥ２７８０９１号記載の方法で合成）２．２ｇを粉体添加し、内温１０℃以下のまま、１０％ＮａＯＨ水溶液を用いて反応液のｐＨを７．５に保ち、ｐＨの変化がなくなるまで滴下を続けた。得られた反応液を大過剰のイソプロピルアルコールに注ぎ入れ、析出した固体をろ別した。得られた固体を水／メタノール：１／１混合溶媒２０ｍＬに溶解し、カラムクロマトグラフィ（充填剤：セファデックスＬＨ−２０（ファルマシア製）、展開溶媒：水／メタノール）で精製したのちに、透析膜（分画分子量３５００、Ｓｐｅｃｔｒａ／Ｐｏｒ３  Ｄｉａｌｙｓｉｓ  Ｍｅｍｂｒａｎｅ（商品名、スペクトラム＝ラボラトリー社製））を用いて、無機塩及び残留有機溶媒を除去した。得られた水溶液を、希水酸化ナトリウム水溶液でｐＨを７に調整し、メンブレンフイルターで除塵ろ過を行い、得られた水溶液をロータリーエバポレーターで濃縮乾固することで例示化合物（１−２５）の緑色光沢結晶を得た。収量１．３ｇ、収率２６％。ＭＳ（ｍ／ｚ）＝１２９１（［Ｍ−１］−、１００％）。例示化合物（１−２５）の希薄水溶液中での吸収スペクトルの吸収極大波長は５３２ｎｍ、モル吸光係数は８３０００であった。
【０２２７】
（例示化合物（１−２６）の合成）
例示化合物（１−２６）は、例えば下記スキームに従い、合成することができる。
【０２２８】
【化３５】
2018053190.tif 000036
【０２２９】
前述の例示化合物（１−１１）の合成中間体として得られた中間体（Ｂ）３．０ｇを超純水１５ｍＬに溶解させ、内温を１０℃以下に冷却した。５−クロロスルホニル−４−ヒドロキシイソフタル酸（独国特許ＤＥ２６４７８６号記載の方法で合成）２．７ｇを粉体添加し、内温１０℃以下のまま、１０％ＮａＯＨ水溶液を用いて反応液のｐＨを７．５に保ち、ｐＨの変化がなくなるまで滴下を続けた。得られた反応液を大過剰のイソプロピルアルコールに注ぎ入れ、析出した固体をろ別した。得られた固体を水／メタノール：１／１混合溶媒２０ｍＬに溶解し、カラムクロマトグラフィ（充填剤：セファデックスＬＨ−２０（ファルマシア製）、展開溶媒：水／メタノール）で精製したのちに、透析膜（分画分子量３５００、Ｓｐｅｃｔｒａ／Ｐｏｒ３  Ｄｉａｌｙｓｉｓ  Ｍｅｍｂｒａｎｅ（商品名、スペクトラム＝ラボラトリー社製））を用いて、無機塩及び残留有機溶媒を除去した。得られた水溶液を、希水酸化ナトリウム水溶液でｐＨを７に調整し、メンブレンフイルターで除塵ろ過を行い、得られた水溶液をロータリーエバポレーターで濃縮乾固することで例示化合物（１−２６）の緑色光沢結晶を得た。収量１．８ｇ、収率３６％。ＭＳ（ｍ／ｚ）＝１２７９（［Ｍ−１］−、１００％）。例示化合物（１−２６）の希薄水溶液中での吸収スペクトルの吸収極大波長は５３４ｎｍ、モル吸光係数は９５０００であった。例示化合物（１−２６）のジメチルスルホキシド−ｄ６中での１Ｈ−ＮＭＲスペクトルを図３に示す。
【０２３０】
その他の染料に関しても、上記方法に準じて合成することができる。
【０２３１】
〔実施例１〕
（水溶液１の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し水溶液１を調製した。
【０２３２】
水溶液１の組成：
染料（例示化合物（１−１１））                    １０．００ｇ
プロキセルＸＬＩＩ（防腐剤、ＬＯＮＺＡ（株）製）      ０．３ｇ
グリセリン                                          ２８．６ｇ
脱イオン水                                            残部
【０２３３】
（インクジェット記録用インク１の調製）
上記水溶液１に有機溶剤、水等を加え、染料である例示化合物（１−１１）が３．５質量％となるように上記水溶液１を脱イオン水で希釈し、インクジェット記録用インク１を調製した。
【０２３４】
インクジェット記録用インク１（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
グリセリン                                          １０．００ｇ
トリエチレングリコール                                ２．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０２３５】
〔実施例２〕
（水溶液２の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し水溶液２を調製した。
【０２３６】
水溶液２の組成：
染料（例示化合物（１−１１））                      １０．０ｇ
プロキセルＸＬＩＩ（防腐剤、ＬＯＮＺＡ（株）製）      ０．３ｇ
グリセリン                                          ２８．６ｇ
ベタイン−１（下記構造のベタイン化合物）              ５．７ｇ
脱イオン水                                            残部
【０２３７】
【化３６】
2018053190.tif 000037
【０２３８】
（インクジェット記録用インク２の調製）
上記水溶液２に有機溶剤、水等を加え、染料である例示化合物（１−１１）が３．５質量％となるように上記水溶液２を脱イオン水で希釈し、インクジェット記録用インク２を調製した。
【０２３９】
インクジェット記録用インク２（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−１                                          ２．００ｇ
トリエチレングリコール                                ２．００ｇ
グリセリン                                          １０．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０２４０】
〔実施例３〕
（水溶液３の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し水溶液３を調製した。
【０２４１】
水溶液３の組成：
染料（例示化合物（１−１１））                      １０．０ｇ
プロキセルＸＬＩＩ（防腐剤、ＬＯＮＺＡ（株）製）      ０．３ｇ
グリセリン                                          ２８．６ｇ
ベタイン−２（下記構造のベタイン化合物）              ５．７ｇ
脱イオン水                                            残部
【０２４２】
【化３７】
2018053190.tif 000038
【０２４３】
（インクジェット記録用インク３の調製）
上記水溶液３に有機溶剤、水等を加え、染料である例示化合物（１−１１）が３．５質量％となるように上記水溶液３を脱イオン水で希釈し、インクジェット記録用インク３を調製した。
【０２４４】
インクジェット記録用インク３（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−２                                          ２．００ｇ
トリエチレングリコール                                ２．００ｇ
グリセリン                                          １０．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０２４５】
〔実施例４〕
（水溶液４の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し水溶液４を調製した。
【０２４６】
水溶液４の組成：
染料（例示化合物（１−１１））                      １０．０ｇ
プロキセルＸＬＩＩ（防腐剤、ＬＯＮＺＡ（株）製）      ０．３ｇ
グリセリン                                          ２８．６ｇ
ベタイン−３（下記構造のベタイン化合物）              ５．７ｇ
脱イオン水                                            残部
【０２４７】
【化３８】
2018053190.tif 000039
【０２４８】
（インクジェット記録用インク４の調製）
上記水溶液４に有機溶剤、水等を加え、染料である例示化合物（１−１１）が３．５質量％となるように上記水溶液４を脱イオン水で希釈し、インクジェット記録用インク４を調製した。
【０２４９】
インクジェット記録用インク４（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−３                                          ２．００ｇ
トリエチレングリコール                                ２．００ｇ
グリセリン                                          １０．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０２５０】
〔実施例５〕
（水溶液５の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し水溶液５を調製した。
【０２５１】
水溶液５の組成：
染料（例示化合物（１−１１））                    １０．００ｇ
プロキセルＸＬＩＩ（防腐剤、ＬＯＮＺＡ（株）製）      ０．３ｇ
トリエチレングリコールモノブチルエーテル            ２８．６ｇ
脱イオン水                                            残部
【０２５２】
（インクジェット記録用インク５の調製）
上記水溶液５に有機溶剤、水等を加え、染料である例示化合物（１−１１）が３．５質量％となるように上記水溶液５を脱イオン水で希釈し、インクジェット記録用インク５を調製した。
【０２５３】
インクジェット記録用インク５（合計１００ｇ）の組成：
染料（例示化合物（１−１１））        ３．５０ｇ
プロキセルＸＬＩＩ（防腐剤、ＬＯＮＺＡ（株）製）      ０．１１ｇ
トリエチレングリコールモノブチルエーテル            １０．００ｇ
グリセリン                                          １０．００ｇ
トリエチレングリコール                                ２．００ｇ
２−ピロリドン                                        ２．００ｇ
サーフィノール（界面活性剤、日信化学工業（株）製）    １．００ｇ
脱イオン水                                            残部
【０２５４】
〔実施例６〕
（水溶液６の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し水溶液６を調製した。
【０２５５】
水溶液６の組成：
染料（例示化合物（１−１１））                      １０．０ｇ
プロキセルＸＬＩＩ（防腐剤、ＬＯＮＺＡ（株）製）      ０．３ｇ
トリエチレングリコールモノブチルエーテル            ２８．６ｇ
ベタイン−１                                          ５．７ｇ
脱イオン水                                            残部
【０２５６】
（インクジェット記録用インク６の調製）
上記水溶液６に有機溶剤、水等を加え、染料である例示化合物（１−１１）が３．５質量％となるように上記水溶液６を脱イオン水で希釈し、インクジェット記録用インク６を調製した。
【０２５７】
インクジェット記録用インク６（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−１（上記構造のベタイン化合物）              ２．００ｇ
トリエチレングリコール                                ２．００ｇ
グリセリン                                          １０．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０２５８】
〔実施例７〕
（水溶液７の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し水溶液７を調製した。
【０２５９】
水溶液７の組成：
染料（例示化合物（１−１１））                      １０．０ｇ
プロキセルＸＬＩＩ（防腐剤、ＬＯＮＺＡ（株）製）      ０．３ｇ
トリエチレングリコールモノブチルエーテル            ２８．６ｇ
ベタイン−２                                          ５．７ｇ
脱イオン水                                            残部
【０２６０】
（インクジェット記録用インク７の調製）
上記水溶液７に有機溶剤、水等を加え、染料である例示化合物（１−１１）が３．５質量％となるように上記水溶液７を脱イオン水で希釈し、インクジェット記録用インク７を調製した。
【０２６１】
インクジェット記録用インク７（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−２（上記構造のベタイン化合物）              ２．００ｇ
トリエチレングリコール                                ２．００ｇ
グリセリン                                          １０．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０２６２】
〔実施例８〕
（水溶液８の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し水溶液８を調製した。
【０２６３】
水溶液８の組成：
染料（例示化合物（１−１１））                      １０．０ｇ
プロキセルＸＬＩＩ（防腐剤、ＬＯＮＺＡ（株）製）      ０．３ｇ
グリセリン                                          ２８．６ｇ
トリエチレングリコールモノブチルエーテル            ２８．６ｇ
脱イオン水                                            残部
【０２６４】
（インクジェット記録用インク８の調製）
上記水溶液８に有機溶剤、水等を加え、染料である例示化合物（１−１１）が３．５質量％となるように上記水溶液８を脱イオン水で希釈し、インクジェット記録用インク８を調製した。
【０２６５】
インクジェット記録用インク８（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
トリエチレングリコール                                ２．００ｇ
グリセリン                                          １０．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０２６６】
〔実施例９〕
（水溶液９の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し水溶液９を調製した。
【０２６７】
水溶液９の組成：
染料（例示化合物（１−１１））                      １０．０ｇ
プロキセルＸＬＩＩ（防腐剤、ＬＯＮＺＡ（株）製）      ０．３ｇ
グリセリン                                          ２８．６ｇ
トリエチレングリコールモノブチルエーテル            ２８．６ｇ
ベタイン−１                                          ５．７ｇ
脱イオン水                                            残部
【０２６８】
（インクジェット記録用インク９の調製）
上記水溶液９に有機溶剤、水等を加え、染料である例示化合物（１−１１）が３．５質量％となるように上記水溶液９を脱イオン水で希釈し、インクジェット記録用インク９を調製した。
【０２６９】
インクジェット記録用インク９（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−１                                          ２．００ｇ
トリエチレングリコール                                ２．００ｇ
グリセリン                                          １０．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０２７０】
〔実施例１０〕
（水溶液１０の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し水溶液１０を調製した。
【０２７１】
水溶液１０の組成：
染料（例示化合物（１−１１））                      １０．０ｇ
プロキセルＸＬＩＩ（防腐剤、ＬＯＮＺＡ（株）製）      ０．３ｇ
グリセリン                                          ２８．６ｇ
トリエチレングリコールモノブチルエーテル            ２８．６ｇ
ベタイン−２                                          ５．７ｇ
脱イオン水                                            残部
【０２７２】
（インクジェット記録用インク１０の調製）
上記水溶液１０に有機溶剤、水等を加え、染料である例示化合物（１−１１）が３．５質量％となるように上記水溶液１０を脱イオン水で希釈し、インクジェット記録用インク１０を調製した。
【０２７３】
インクジェット記録用インク１０（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−２                                          ２．００ｇ
トリエチレングリコール                                ２．００ｇ
グリセリン                                          １０．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０２７４】
〔実施例１１〜２０〕
例示化合物（１−１１）の代わりに、例示化合物（１−１８）を用いた以外は、実施例１〜１０と同様の操作により水溶液１１〜２０及びインクジェット記録用インク１１〜２０を調製した。
【０２７５】
〔実施例２１〜３０〕
例示化合物（１−１１）の代わりに、例示化合物（１−１９）を用いた以外は、実施例１〜１０と同様の操作により水溶液２１〜３０及びインクジェット記録用インク２１〜３０を調液した。
【０２７６】
〔実施例３１〜４０〕
例示化合物（１−１１）の代わりに、例示化合物（１−２０）を用いた以外は、実施例１〜１０と同様の操作により水溶液３１〜４０及びインクジェット記録用インク３１〜４０を調液した。
【０２７７】
〔実施例４１〜５０〕
例示化合物（１−１１）の代わりに、例示化合物（１−２５）を用いた以外は、実施例１〜１０と同様の操作により水溶液４１〜５０及びインクジェット記録用インク４１〜５０を調液した。
【０２７８】
〔実施例５１〜６０〕
例示化合物（１−１１）の代わりに、例示化合物（１−２６）を用いた以外は、実施例１〜１０と同様の操作により水溶液５１〜６０及びインクジェット記録用インク５１〜６０を調液した。
【０２７９】
〔実施例６１〜７０〕
例示化合物（１−１１）の代わりに、例示化合物（１−２９）を用いた以外は、実施例１〜１０と同様の操作により水溶液６１〜７０及びインクジェット記録用インク６１〜７０を調液した。
【０２８０】
〔実施例７１〜８０〕
例示化合物（１−１１）の代わりに、例示化合物（１−３０）を用いた以外は、実施例１〜１０と同様の操作により水溶液７１〜８０及びインクジェット記録用インク７１〜８０を調液した。
【０２８１】
〔実施例８１〜９０〕
例示化合物（１−１１）の代わりに、例示化合物（１−３４）を用いた以外は、実施例１〜１０と同様の操作により水溶液８１〜９０及びインクジェット記録用インク８１〜９０を調液した。
【０２８２】
〔実施例９１〜１００〕
例示化合物（１−１１）の代わりに、例示化合物（１−３５）を用いた以外は、実施例１〜１０と同様の操作により水溶液９１〜１００及びインクジェット記録用インク９１〜１００を調液した。
【０２８３】
〔実施例１０１〜１１０〕
水溶液の調製におけるプロキセルＸＬＩＩの使用量０．３ｇを０．１ｇへ変更した以外は、実施例５１〜６０と同様の操作により水溶液１０１〜１１０及びインクジェット記録用インク１０１〜１１０を調液した。実施例１０１〜１１０の評価結果は、実施例５１〜６０と同様であった。
【０２８４】
〔実施例１１１〜１２０〕
水溶液の調製におけるプロキセルＸＬＩＩの使用量０．３ｇを０．２ｇへ変更した以外は、実施例５１〜６０と同様の操作により水溶液１１１〜１２０及びインクジェット記録用インク１１１〜１２０を調液した。実施例１１１〜１２０の評価結果は、実施例５１〜６０と同様であった。
【０２８５】
〔実施例１２１〜１３０〕
水溶液の調製におけるプロキセルＸＬＩＩの使用量０．３ｇを０．４ｇへ変更した以外は、実施例５１〜６０と同様の操作により水溶液１２１〜１３０及びインクジェット記録用インク１２１〜１３０を調液した。実施例１２１〜１３０の評価結果は、実施例５１〜６０と同様であった。
【０２８６】
〔実施例１３１〜１４０〕
プロキセルＸＬＩＩの代わりに、プロキセルＧＸＬを用いた以外は、実施例５１〜６０と同様の操作により水溶液１３１〜１４０及びインクジェット記録用インク１３１〜１４０を調液した。実施例１３１〜１４０の評価結果は、実施例５１〜６０と同様であった。
【０２８７】
〔実施例１４１〜１５０〕
水溶液の調製におけるプロキセルＸＬＩＩ０．３ｇの代わりに、プロキセルＸＬＩＩ０．１ｇ＋プロキセルＧＸＬ０．１ｇを用いた以外は、実施例５１〜６０と同様の操作により水溶液１４１〜１５０及びインクジェット記録用インク１４１〜１５０を調液した。実施例１４１〜１５０の評価結果は、実施例５１〜６０と同様であった。
【０２８８】
〔実施例１５１〜１６０〕
プロキセルＸＬＩＩの代わりに、フェノキシエタノールを用いた以外は、実施例５１〜６０と同様の操作により水溶液１５１〜１６０及びインクジェット記録用インク１５１〜１６０を調液した。実施例１５１〜１６０の評価結果は、実施例５１〜６０と同様であった。
【０２８９】
〔実施例１６１〜１７０〕
プロキセルＸＬＩＩの代わりに、ペンチレングリコールを用いた以外は、実施例５１〜６０と同様の操作により水溶液１６１〜１７０及びインクジェット記録用インク１６１〜１７０を調液した。実施例１６１〜１７０の評価結果は、実施例５１〜６０と同様であった。
【０２９０】
〔実施例１７１〜１８０〕
水溶液の調製におけるプロキセルＸＬＩＩの代わりに、フェノキシエタノール０．１ｇ＋ペンチレングリコール０．１ｇを用いた以外は、実施例５１〜６０と同様の操作により水溶液１７１〜１８０及びインクジェット記録用インク１７１〜１８０を調液した。実施例１７１〜１８０の評価結果は、実施例５１〜６０と同様であった。
【０２９１】
〔実施例１８１〜１９０〕
水溶液の調製におけるプロキセルＸＬＩＩの使用量０．３ｇを０．１ｇへ変更した以外は、実施例７１〜８０と同様の操作により水溶液１８１〜１９０及びインクジェット記録用インク１８１〜１９０を調液した。実施例１８１〜１９０の評価結果は、実施例７１〜８０と同様であった。
【０２９２】
〔実施例１９１〜２００〕
水溶液の調製におけるプロキセルＸＬＩＩの使用量０．３ｇを０．３ｇへ変更した以外は、実施例７１〜８０と同様の操作により水溶液１９１〜２００及びインクジェット記録用インク１９１〜２００を調液した。実施例１９１〜２００の評価結果は、実施例７１〜８０と同様であった。
【０２９３】
〔実施例２０１〜２１０〕
水溶液の調製におけるプロキセルＸＬＩＩの使用量０．３ｇを０．４ｇへ変更した以外は、実施例７１〜８０と同様の操作により水溶液２０１〜２１０及びインクジェット記録用インク２０１〜２１０を調液した。実施例２０１〜２１０の評価結果は、実施例７１〜８０と同様であった。
【０２９４】
〔実施例２１１〜２２０〕
プロキセルＸＬＩＩの代わりに、プロキセルＧＸＬを用いた以外は、実施例７１〜８０と同様の操作により水溶液２１１〜２２０及びインクジェット記録用インク２１１〜２２０を調液した。実施例２１１〜２２０の評価結果は、実施例７１〜８０と同様であった。
【０２９５】
〔実施例２２１〜２３０〕
水溶液の調製におけるプロキセルＸＬＩＩ０．３ｇの代わりに、プロキセルＸＬＩＩ０．１ｇ＋プロキセルＧＸＬ０．１ｇを用いた以外は、実施例７１〜８０と同様の操作により水溶液２２１〜２３０及びインクジェット記録用インク２２１〜２３０を調液した。実施例２２１〜２３０の評価結果は、実施例７１〜８０と同様であった。
【０２９６】
〔実施例２３１〜２４０〕
プロキセルＸＬＩＩの代わりに、フェノキシエタノールを用いた以外は、実施例７１〜８０と同様の操作により水溶液２３１〜２４０及びインクジェット記録用インク２３１〜２４０を調液した。実施例２３１〜２４０の評価結果は、実施例７１〜８０と同様であった。
【０２９７】
〔実施例２４１〜２５０〕
プロキセルＸＬＩＩの代わりに、ペンチレングリコールを用いた以外は、実施例７１〜８０と同様の操作により水溶液２４１〜２５０及びインクジェット記録用インク２４１〜２５０を調液した。実施例２４１〜２５０の評価結果は、実施例７１〜８０と同様であった。
【０２９８】
〔実施例２５１〜２６０〕
水溶液の調製におけるプロキセルＸＬＩＩの代わりに、フェノキシエタノール０．１ｇ＋ペンチレングリコール０．１ｇを用いた以外は、実施例７１〜８０と同様の操作により水溶液２５１〜２６０及びインクジェット記録用インク２５１〜２６０を調液した。実施例２５１〜２６０の評価結果は、実施例７１〜８０と同様であった。
【０２９９】
なお、実施例１８１〜２６０の評価結果の下記表への記載は省略した。
【０３００】
水混和性有機溶剤として用いた、グリセリンおよび／またはトリエチレングリコールモノブチルエーテルを添加しない以外は、実施例１〜１０と同様の操作により比較水溶液１〜１０及び比較インクジェット記録用インク１〜１０を調液した。具体的には以下のようにして比較例１〜１０の比較水溶液１〜１０及び比較インクジェット記録用インク１〜１０を調液した。
【０３０１】
〔比較例１〕
（比較水溶液１の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し比較水溶液１を調製した。
【０３０２】
比較水溶液１の組成：
染料（例示化合物（１−１１））                    １０．００ｇ
プロキセルＸＬＩＩ（防腐剤、ＬＯＮＺＡ（株）製）      ０．３ｇ
脱イオン水                                            残部
【０３０３】
（比較インクジェット記録用インク１の調製）
上記比較水溶液１に有機溶剤、水等を加え、染料である例示化合物（１−１１）が３．５質量％となるように上記比較水溶液１を脱イオン水で希釈し、比較インクジェット記録用インク１を調製した。
【０３０４】
比較インクジェット記録用インク１（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
トリエチレングリコール                                ２．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０３０５】
〔比較例２〕
（比較水溶液２の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し比較水溶液２を調製した。
【０３０６】
比較水溶液２の組成：
染料（例示化合物（１−１１））                      １０．０ｇ
プロキセルＸＬＩＩ（防腐剤、ＬＯＮＺＡ（株）製）      ０．３ｇ
ベタイン−１                                          ５．７ｇ
脱イオン水                                            残部
【０３０７】
（比較インクジェット記録用インク２の調製）
上記比較水溶液２に有機溶剤、水等を加え、染料である例示化合物（１−１１）が３．５質量％となるように上記比較水溶液２を脱イオン水で希釈し、比較インクジェット記録用インク２を調製した。
【０３０８】
比較インクジェット記録用インク２（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−１                                          ２．００ｇ
トリエチレングリコール                                ２．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０３０９】
〔比較例３〕
（比較水溶液３の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し比較水溶液３を調製した。
【０３１０】
比較水溶液３の組成：
染料（例示化合物（１−１１））                      １０．０ｇ
プロキセルＸＬＩＩ（防腐剤、ＬＯＮＺＡ（株）製）      ０．３ｇ
ベタイン−２                                          ５．７ｇ
脱イオン水                                            残部
【０３１１】
（比較インクジェット記録用インク３の調製）
上記比較水溶液３に有機溶剤、水等を加え、染料である例示化合物（１−１１）が３．５質量％となるように上記比較水溶液３を脱イオン水で希釈し、比較インクジェット記録用インク３を調製した。
【０３１２】
比較インクジェット記録用インク３（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−２                                          ２．００ｇ
トリエチレングリコール                                ２．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０３１３】
〔比較例４〕
（比較水溶液４の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し比較水溶液４を調製した。
【０３１４】
比較水溶液４の組成：
染料（例示化合物（１−１１））                      １０．０ｇ
プロキセルＸＬＩＩ（防腐剤、ＬＯＮＺＡ（株）製）      ０．３ｇ
ベタイン−３                                          ５．７ｇ
脱イオン水                                            残部
【０３１５】
（比較インクジェット記録用インク４の調製）
上記比較水溶液４に有機溶剤、水等を加え、染料である例示化合物（１−１１）が３．５質量％となるように上記比較水溶液４を脱イオン水で希釈し、比較インクジェット記録用インク４を調製した。
【０３１６】
比較インクジェット記録用インク４（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−３                                          ２．００ｇ
トリエチレングリコール                                ２．００ｇ
トリエチレングリコールモノブチルエーテル            １０．００ｇ
２−ピロリドン                                        ２．００ｇ
サーフィノール（界面活性剤、日信化学工業（株）製）    １．００ｇ
脱イオン水                                            残部
【０３１７】
〔比較例５〕
（比較水溶液５の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し比較水溶液５を調製した。
【０３１８】
比較水溶液５の組成：
染料（例示化合物（１−１１））                    １０．００ｇ
プロキセルＸＬＩＩ（防腐剤、ＬＯＮＺＡ（株）製）      ０．３ｇ
脱イオン水                                            残部
【０３１９】
（インクジェット記録用インク５の調製）
上記比較水溶液５に有機溶剤、水等を加え、染料である例示化合物（１−１１）が３．５質量％となるように上記比較水溶液５を脱イオン水で希釈し、比較インクジェット記録用インク５を調製した。
【０３２０】
インクジェット記録用インク５（合計１００ｇ）の組成：
染料（例示化合物（１−１１））        ３．５０ｇ
プロキセルＸＬＩＩ（防腐剤、ＬＯＮＺＡ（株）製）      ０．１１ｇ
グリセリン                                          １０．００ｇ
トリエチレングリコール                                ２．００ｇ
２−ピロリドン                                        ２．００ｇ
サーフィノール（界面活性剤、日信化学工業（株）製）    １．００ｇ
脱イオン水                                            残部
【０３２１】
〔比較例６〕
（比較水溶液６の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し比較水溶液６を調製した。
【０３２２】
比較水溶液６の組成：
染料（例示化合物（１−１１））                      １０．０ｇ
プロキセルＸＬＩＩ（防腐剤、ＬＯＮＺＡ（株）製）      ０．３ｇ
ベタイン−１                                          ５．７ｇ
脱イオン水                                            残部
【０３２３】
（比較インクジェット記録用インク６の調製）
上記比較水溶液６に有機溶剤、水等を加え、染料である例示化合物（１−１１）が３．５質量％となるように上記比較水溶液６を脱イオン水で希釈し、比較インクジェット記録用インク６を調製した。
【０３２４】
比較インクジェット記録用インク６（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−１（上記構造のベタイン化合物）              ２．００ｇ
トリエチレングリコール                                ２．００ｇ
グリセリン                                          １０．００ｇ
２−ピロリドン                                        ２．００ｇ
サーフィノール（界面活性剤、日信化学工業（株）製）    １．００ｇ
脱イオン水                                            残部
【０３２５】
〔比較例７〕
（比較水溶液７の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し比較水溶液７を調製した。
【０３２６】
比較水溶液７の組成：
染料（例示化合物（１−１１））                      １０．０ｇ
プロキセルＸＬＩＩ（防腐剤、ＬＯＮＺＡ（株）製）      ０．３ｇ
ベタイン−２                                          ５．７ｇ
脱イオン水                                            残部
【０３２７】
（比較インクジェット記録用インク７の調製）
上記比較水溶液７に有機溶剤、水等を加え、染料である例示化合物（１−１１）が３．５質量％となるように上記比較水溶液７を脱イオン水で希釈し、比較インクジェット記録用インク７を調製した。
【０３２８】
比較インクジェット記録用インク７（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−２（上記構造のベタイン化合物）              ２．００ｇ
トリエチレングリコール                                ２．００ｇ
グリセリン                                          １０．００ｇ
２−ピロリドン                                        ２．００ｇ
サーフィノール（界面活性剤、日信化学工業（株）製）    １．００ｇ
脱イオン水                                            残部
【０３２９】
〔比較例８〕
（比較水溶液８の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し比較水溶液８を調製した。
【０３３０】
比較水溶液８の組成：
染料（例示化合物（１−１１））                      １０．０ｇ
プロキセルＸＬＩＩ（防腐剤、ＬＯＮＺＡ（株）製）      ０．３ｇ
脱イオン水                                            残部
【０３３１】
（比較インクジェット記録用インク８の調製）
上記比較水溶液８に有機溶剤、水等を加え、染料である例示化合物（１−１１）が３．５質量％となるように上記比較水溶液８を脱イオン水で希釈し、比較インクジェット記録用インク８を調製した。
【０３３２】
比較インクジェット記録用インク８（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
トリエチレングリコール                                ２．００ｇ
２−ピロリドン                                        ２．００ｇ
サーフィノール（界面活性剤、日信化学工業（株）製）    １．００ｇ
脱イオン水                                            残部
【０３３３】
〔比較例９〕
（比較水溶液９の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し比較水溶液９を調製した。
【０３３４】
比較水溶液９の組成：
染料（例示化合物（１−１１））                      １０．０ｇ
プロキセルＸＬＩＩ（防腐剤、ＬＯＮＺＡ（株）製）      ０．３ｇ
ベタイン−１                                          ５．７ｇ
脱イオン水                                            残部
【０３３５】
（比較インクジェット記録用インク９の調製）
上記比較水溶液９に有機溶剤、水等を加え、染料である例示化合物（１−１１）が３．５質量％となるように上記比較水溶液９を脱イオン水で希釈し、比較インクジェット記録用インク９を調製した。
【０３３６】
比較インクジェット記録用インク９（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−１                                          ２．００ｇ
トリエチレングリコール                                ２．００ｇ
２−ピロリドン                                        ２．００ｇ
サーフィノール（界面活性剤、日信化学工業（株）製）    １．００ｇ
脱イオン水                                            残部
【０３３７】
〔比較例１０〕
（比較水溶液１０の調製）
下記の成分に脱イオン水を加え１００ｇとした後、３０〜４０℃で加熱しながら１時間撹拌した。その後、２５℃まで冷却し、１０ｍｏｌ／Ｌの水酸化ナトリウム水溶液にてｐＨ＝８．５に調製し、平均孔径０．２μｍのミクロフィルターで減圧濾過し比較水溶液１０を調製した。
【０３３８】
比較水溶液１０の組成：
染料（例示化合物（１−１１））                      １０．０ｇ
プロキセルＸＬＩＩ（防腐剤、ＬＯＮＺＡ（株）製）      ０．３ｇ
ベタイン−２                                          ５．７ｇ
脱イオン水                                            残部
【０３３９】
（比較インクジェット記録用インク１０の調製）
上記比較水溶液１０に有機溶剤、水等を加え、染料である例示化合物（１−１１）が３．５質量％となるように上記比較水溶液１０を脱イオン水で希釈し、比較インクジェット記録用インク１０を調製した。
【０３４０】
比較インクジェット記録用インク１０（合計１００ｇ）の組成：
染料（例示化合物（１−１１））                        ３．５０ｇ
プロキセルＸＬＩＩ（防腐剤、ＬＯＮＺＡ（株）製）      ０．１１ｇ
ベタイン−２                                          ２．００ｇ
トリエチレングリコール                                ２．００ｇ
２−ピロリドン                                        ２．００ｇ
サーフィノール（界面活性剤、日信化学工業（株）製）    １．００ｇ
脱イオン水                                            残部
【０３４１】
〔比較例１１〜２０〕
例示化合物（１−１１）の代わりに、比較化合物（１）を用いた以外は、実施例１〜1０と同様の操作により比較水溶液１１〜２０及び比較インクジェット記録用インク１１〜２０を調液した。
【０３４２】
〔比較例２１〜３０〕
例示化合物（１−１１）の代わりに、比較化合物（２）を用いた以外は、実施例１〜1０と同様の操作により比較水溶液２１〜３０及び比較インクジェット記録用インク２１〜３０を調液した。
【０３４３】
〔比較例３１〜４０〕
例示化合物（１−１１）の代わりに、比較化合物（３）を用いた以外は、実施例１〜1０と同様の操作により比較水溶液３１〜４０及び比較インクジェット記録用インク３１〜４０を調液した。
【０３４４】
〔比較例４１〜５０〕
例示化合物（１−１１）の代わりに、比較化合物（４）を用いた以外は、実施例１〜1０と同様の操作により比較水溶液４１〜５０及び比較インクジェット記録用インク４１〜５０を調液した。
【０３４５】
〔比較例５１〜６０〕
例示化合物（１−１１）の代わりに、比較化合物（５）を用いた以外は、実施例１〜1０と同様の操作により比較水溶液５１〜６０及び比較インクジェット記録用インク５１〜６０を調液した。
【０３４６】
【化３９】
2018053190.tif 000040
【０３４７】
（防腐性）
日水製薬（株）製の細菌検査用フードスタンプ（生菌数用及び真菌用）のキャップをとり、寒天培地面に充分な実施例及び比較例の水溶液を塗布した。キャップをしないまま１０時間放置することにより、菌の付着を促した。その後でキャップをし、生菌数用フードスタンプについては３６℃の恒温槽中で２日間、真菌用フードスタンプについては２３℃の恒温槽中で５日間、培養した。目視観察により、以下の基準にて評価を行った。結果を表１〜７に示した。
Ａ・・・黴の発生なし
Ｂ・・・黴の発生あり
また実施例及び比較例のインクジェット記録用インクについても、同様に防腐性を評価したところ、それぞれ水溶液と同じ結果であった。
【０３４８】
（水溶液及び比較水溶液の貯蔵安定性）
実施例及び比較例の水溶液に関して、（１）６０℃、３日間、（２）−１０℃、３日間、（１）⇒（２）条件のサイクル試験を３回繰り返して水溶液の貯蔵安定性の試験を行い、下記判定基準により評価した。
目視及び０．２μｍのろ過にて溶解状態を保っているものをＡ、染料の析出又は液分離等、水溶液の状態に変化が起きたものをＢの２段階で評価した。
【０３４９】
（画像記録及び評価）
実施例及び比較例のインクジェット記録用インクについて下記評価を行った。
なお、各評価は、各インクジェット記録用インクをインクカートリッジに装填し、インクジェットプリンター（セイコーエプソン（株）製；ＰＭ−７００Ｃ）で写真用紙（エプソン（株）製写真紙＜光沢＞）に画像を記録した後で評価したものである。
【０３５０】
＜色相＞
印画したサンプルを目視で観測し、純色のマゼンタである場合をＡ、やや赤みがかった赤色に近いマゼンタをＢ、明らかに赤紫色の場合をＣの三段階で評価した。
【０３５１】
＜彩度＞
印画物の彩度（Ｃ＊）を、色特性に測定に基づき、下記式によって算出した。印加電圧５０％における印画画像部分について、反射濃度計（商品名  Ｘ−Ｒｉｔｅ  ３１０ＴＲ、Ｘｒｉｔｅ社製）を用いて、ＣＩＥ  Ｌ＊ａ＊ｂ＊表色系（国際照明委員会規格（１９７６年）／又はＪＩＳ規格Ｚ８７８１−４：２０１３）における明度Ｌ＊と色度ａ＊及びｂ＊を測定し、得られた値から下記算出式に基づいて彩度（Ｃ＊）を求め、評価を行い、下記判定基準により評価した。
【０３５２】
【数１】
2018053190.tif 000041
【０３５３】
Ａ：  Ｃ＊が９０以上の場合
Ｂ：  Ｃ＊が８０以上９０未満の場合
Ｃ：  Ｃ＊が８０未満の場合
【０３５４】
＜印画濃度＞
インクジェットプリンター（商品名ＰＭ−７００Ｃ、セイコーエプソン株式会社製）を使用し、上記に示したインクジェット記録用インクを用いて、インクジェット専用記録媒体｛写真用紙＜光沢＞（商品名、セイコーエプソン株式会社製）｝にマゼンタ（Ｍａｇｅｎｔａ）色のＯＤ（Ｏｐｔｉｃａｌ  Ｄｅｎｓｉｔｙ）値が０．１〜２．０の範囲で階段状に濃度が変化した単色の画像パターンを印字させた。
写真用紙に印画濃度（ＯＤｍａｘ）における反射濃度を画像濃度を反射濃度計（Ｘ−Ｒｉｔｅ３１０ＴＲ）を用いて測定し、印画濃度が２．０以上の場合をＡ、１．８以上２．０未満の場合をＢ、１．８未満の場合をＣとして、三段階で評価した。
【０３５５】
＜耐光性＞
記録した直後の画像濃度Ｃｉを測定した後、ウェザーメーター（アトラスＣ．１６５）を用いて、画像にキセノン光（１０万ルクス）を２８日間照射した後、再び画像濃度Ｃｆ１を測定し、キセノン光照射前後の画像濃度から色素残存率を算出し評価した。画像濃度は反射濃度計（商品名  Ｘ−Ｒｉｔｅ  ３１０ＴＲ、Ｘｒｉｔｅ社製）を用いて測定した。色素残存率は、初期の画像濃度が１．０±０．２の画像部分を用いて測定した。
次式より色素残存率を求め、下記判定基準により評価した。
色素残存率（％）＝（Ｃｆ１／Ｃｉ）×１００
Ａ：  色素残存率が９０％以上の場合
Ｂ：  色素残存率が８０％以上９０％未満の場合
Ｃ：  色素残存率が８０％未満の場合
【０３５６】
＜耐オゾン性＞
シーメンス型オゾナイザーの二重ガラス管内に乾燥空気を通しながら、５ｋＶ交流電圧を印加し、これを用いてオゾンガス濃度が５±０．１ｐｐｍ、室温、暗所に設定されたボックス内に、画像を形成したフォト光沢紙を３日間放置し、オゾンガス下放置後の画像濃度を反射濃度計（商品名  Ｘ−Ｒｉｔｅ  ３１０ＴＲ、Ｘｒｉｔｅ社製）を用いて測定し、初期の画像濃度Ｃｉとオゾンガス下放置後の画像濃度Ｃｆ２から色素残存率を算出し評価した。なお、色素残存率は、初期の画像濃度が１．０±０．２の画像部分を用いて測定した。ボックス内のオゾンガス濃度は、ＡＰＰＬＩＣＳ製オゾンガスモニター（モデル：ＯＺＧ−ＥＭ−０１）を用いて設定した。
次式より色素残存率を求め、下記判定基準により評価した。
色素残存率（％）＝（Ｃｆ２／Ｃｉ）×１００
Ａ：  色素残存率が８５％以上の場合
Ｂ：  色素残存率が８０％以上８５％未満の場合
Ｃ：  色素残存率が８０％未満の場合
【０３５７】
＜耐湿性＞
高湿条件下での画像のにじみについては、マゼンタの１ｍｍ×１ｍｍの正方形を、正方形同士の間に０．５ｍｍの白地隙間が形成されるように配置した、３ｃｍ×３ｃｍの印字パターンを作製し、この画像サンプルを４５℃相対湿度８０％の条件下、７日間保存後に白地隙間におけるマゼンタ染料のにじみを観察した。
具体的には、上記高湿条件に晒す前と晒した後の印刷物のＯＤ値を、反射濃度計（「Ｓｐｅｃｔｒｉｌｉｎｏ」（商品名：Ｇｒｅｔａｇ社製）を用いて測定し、印字直後に対する白地のマゼンタ濃度増加がステータスＡのグリーンフィルターにおいて、０．０２未満の場合をＡ、０．０２以上０．０５未満の場合をＢ、０．０５以上０．１０未満の場合をＣ、０．１０以上の場合をＤとした。
【０３５８】
＜吐出安定性＞
実施例及び比較例のインクジェット記録用インクをインクジェット記録装置（商品名：商品名ＰＭ−７００Ｃ、セイコーエプソン株式会社製）用のインクカートリッジに充填し、カートリッジをインクジェット記録装置にセットし全ノズルからのインクの吐出を確認した後、Ａ４の紙１００枚に出力した。
そして、実施例及び比較例の水溶液を４０℃、相対湿度８０％の条件下、２週間保存（「強制保存試験」ともいう）後に、それぞれの水溶液を用いてインクジェット記録用インクを調液し、再び上記実験を行い、強制保存試験に供す前（調液直後）の水溶液を用いて調液したインクジェット記録用インクのインク吐出性との差異が在るか否かを評価した。
強制保存試験前後で、以下の基準で差異を評価した。
Ａ：強制保存試験前後で印字の乱れに差異が見られなかった。
Ｂ：強制保存試験前後で印字の乱れに差異が見られた。
【０３５９】
【表１】
2018053190.tif 000042
【０３６０】
【表２】
2018053190.tif 000043
【０３６１】
【表３】
2018053190.tif 000044
【０３６２】
【表４】
2018053190.tif 000045
【０３６３】
【表５】
2018053190.tif 000046
【０３６４】
【表６】
2018053190.tif 000047
【０３６５】
【表７】
2018053190.tif 000048
【０３６６】
【表８】
2018053190.tif 000049
【０３６７】
【表９】
2018053190.tif 000050
【０３６８】
【表１０】
2018053190.tif 000051
【０３６９】
【表１１】
2018053190.tif 000052
【０３７０】
【表１２】
2018053190.tif 000053
【０３７１】
【表１３】
2018053190.tif 000054
【０３７２】
【表１４】
2018053190.tif 000055
【０３７３】
【表１５】
2018053190.tif 000056
【０３７４】
【表１６】
2018053190.tif 000057
【０３７５】
上記結果から明らかなように、本発明の水溶液及びインクジェット記録用インクは、長期保存した際の貯蔵安定性、並びに長期保存後に上記染料水溶液を用いて調製した水性インクの印画品質、及び吐出安定性に優れる。
【０３７６】
染料として使用した化合物の２５℃における、グリセリンに対する溶解度とトリエチレングリコールモノブチルエーテルに対する溶解度を以下に示す。
【０３７７】
【表１７】
2018053190.tif 000058
【図１】
2018053190.tif 000067
【図２】
2018053190.tif 000068
【図３】
2018053190.tif 000069
【図４】
2018053190.tif 000070